(57)【要約】【解決手段】ワイヤレスデバイスのワイヤレス通信ネットワークとの接続品質を判定するための装置および方法は、ワイヤレス通信ネットワークを介してワイヤレスデバイスから送信され、ワイヤレスデバイスによって受信されるメッセージを含む、ワイヤレスデバイスによって記録される複数の通信メッセージを受信するように動作可能なユーザマネージャを含む。さらに、ユーザマネージャに関連した接続品質モジュールは、複数の通信メッセージの中で所定の通信メッセージのシーケンスを検出することに基づいて、接続品質特性を含む接続品質記録を生成するように動作可能である。任意で、最適化モジュールは、接続品質特性に基づいてワイヤレスデバイスおよび／またはネットワーク構成要素のための構成変更を生成してもよい。【選択図】      図１
2008536360.tif 000002
【特許請求の範囲】
【請求項１】
ワイヤレスデバイスとワイヤレス通信ネットワークとの間の接続品質を判定する方法であって、
前記ワイヤレス通信ネットワークを介して前記ワイヤレスデバイスから送信され、前記ワイヤレスデバイスによって受信されるメッセージを含む、前記ワイヤレスデバイスによって記録される複数の通信メッセージを受信することと、
前記複数の通信メッセージの中で所定の通信メッセージのシーケンスを検出することに基づいて、接続品質特性を含む接続品質記録を生成することとを含む方法。
【請求項２】
前記接続品質特性が、アクセス失敗と呼出中断とのうちの少なくとも１つを含む請求項１に記載の方法。
【請求項３】
複数の通信の間に、前記ワイヤレスデバイスの少なくとも１つの位置に対応する位置情報を受信することと、前記位置情報を前記生成された接続品質記録の中の前記接続品質特性と関連させることとをさらに含む請求項１に記載の方法。
【請求項４】
前記位置情報が、前記ワイヤレスデバイスの地理上の位置と、前記ワイヤレスデバイスと通信するネットワーク構成要素の地理上の位置とのうちの少なくとも１つと関連する請求項３に記載の方法。
【請求項５】
前記接続品質特性に基づいて、前記ワイヤレスデバイスと前記ネットワーク構成要素とのうちの少なくとも１つの最適な構成を生成することをさらに含む請求項４に記載の方法。
【請求項６】
前記接続品質特性が、アクセス試行とアクセス成功との間の所定の関係に基づいているアクセス失敗を含む請求項１に記載の方法。
【請求項７】
前記アクセス試行が、元々の会話呼出、終了会話呼出および非常会話呼出からなるグループから選択される確立原因を有する第１種類の固有の無線接続要求メッセージか、または登録を含む確立原因を有し、接続要求シグナリングメッセージまたは設定シグナリングメッセージのうちの１つが後に続く第２種類の固有の無線接続要求メッセージを含む請求項６に記載の方法。
【請求項８】
前記アクセス成功が、前記第１種類の固有の無線接続要求メッセージまたは前記第２種類の固有の無線接続要求メッセージのうちの１つにそれぞれ関連した警報シグナリングメッセージか、前記第１種類の固有の無線接続要求メッセージまたは前記第２種類の固有の無線接続要求メッセージのうちの１つにそれぞれ関連した接続シグナリングメッセージか、前記第１種類の固有の無線接続要求メッセージまたは前記第２種類の固有の無線接続要求メッセージのうちの１つにそれぞれ関連した接続肯定応答シグナリングメッセージを含む請求項６に記載の方法。
【請求項９】
前記複数の通信メッセージが汎用移動電話システム（「ＵＭＴＳ」）プロトコルのメッセージを含み、前記接続品質特性が以下の式
アクセス失敗の数＝Σアクセス試行−Σアクセス成功
この場合、
Σアクセス試行＝
確立原因（ＥＳＴＡＢＬＩＳＨＭＥＮＴＣＡＵＳＥ）がＯＲＩＧＩＮＡＴＩＮＧ＿ＣＯＮＶＥＲＳＡＴＩＯＮＡＬ＿ＣＡＬＬ、ＴＥＲＭＩＮＡＴＩＮＧ＿ＣＯＮＶＥＲＳＡＴＩＯＮＡＬ＿ＣＡＬＬおよびＥＭＥＲＧＥＮＣＹ＿ＣＡＬＬのうちの１つを含む、第１種類の固有のＲＲＣ＿Ｃｏｎｎｅｃｔｉｏｎ＿Ｒｅｑｕｅｓｔメッセージの合計数
＋
確立原因（ＥＳＴＡＢＬＩＳＨＭＥＮＴＣＡＵＳＥ）＝ＳＥＲＶ＿ＴＹＰＥ＝１のＣＭ＿ＳＥＲＶＩＣＥ＿ＲＥＱＵＥＳＴ＿ＮＡＳ＿Ｓｉｇｎａｌｉｎｇか、またはＳＥＴＵＰ＿ＮＡＳ＿Ｓｉｇｎａｌｉｎｇメッセージのいずれかが後に続く登録（ＲＥＧＩＳＴＲＡＴＩＯＮ）である、第２種類の固有のＲＲＣ＿Ｃｏｎｎｅｃｔｉｏｎ＿Ｒｅｑｕｅｓｔメッセージの合計数であり、
Σアクセス成功＝
前記第１種類の固有のＲＲＣ＿Ｃｏｎｎｅｃｔｉｏｎ＿Ｒｅｑｕｅｓｔメッセージおよび前記第２種類の固有のＲＲＣ＿Ｃｏｎｎｅｃｔｉｏｎ＿Ｒｅｑｕｅｓｔメッセージのうちの１つにそれぞれ関連したＡＬＥＲＴＩＮＧ＿ＮＡＳ＿Ｓｉｇｎａｌｉｎｇメッセージの合計数
＋
ＡＬＥＲＴＩＮＧ＿ＮＡＳ＿Ｓｉｇｎａｌｉｎｇメッセージのない、前記第１種類の固有のＲＲＣ＿Ｃｏｎｎｅｃｔｉｏｎ＿Ｒｅｑｕｅｓｔメッセージおよび前記第２種類の固有のＲＲＣ＿Ｃｏｎｎｅｃｔｉｏｎ＿Ｒｅｑｕｅｓｔメッセージのうちの１つにそれぞれ関連したＣＯＮＮＥＣＴ＿ＮＡＳ＿Ｓｉｇｎａｌｉｎｇメッセージの合計数
＋
関連したＡＬＥＲＴＩＮＧ＿ＮＡＳ＿Ｓｉｇｎａｌｉｎｇメッセージまたは関連したＣＯＮＮＥＣＴ＿ＮＡＳ＿Ｓｉｇｎａｌｉｎｇメッセージのない、前記第１種類の固有のＲＲＣ＿Ｃｏｎｎｅｃｔｉｏｎ＿Ｒｅｑｕｅｓｔメッセージおよび前記第２種類の固有のＲＲＣ＿Ｃｏｎｎｅｃｔｉｏｎ＿Ｒｅｑｕｅｓｔメッセージのうちの１つにそれぞれ関連したＣＯＮＮＥＣＴ＿ＡＣＫ＿ＮＡＳ＿Ｓｉｇｎａｌｉｎｇメッセージの合計数、
によって判定されるアクセス失敗を含む請求項１に記載の方法。
【請求項１０】
前記接続品質特性が、状態変化、異常解除および異常切断のうちの少なくとも１つに基づく呼出中断を含む請求項１に記載の方法。
【請求項１１】
前記状態変化が、前記状態変化の間に関連した解除シグナリングメッセージまたは切断シグナリングメッセージのない、アクセス成功の後に続くアクティブ状態からアイドル状態への変化を含む請求項１０に記載の方法。
【請求項１２】
前記アクセス成功が、第１種類の固有の無線接続要求メッセージと第２種類の固有の無線接続要求メッセージとのうちの１つにそれぞれ関連した警報シグナリングメッセージか、前記第１種類の固有の無線接続要求メッセージと前記第２種類の固有の無線接続要求メッセージとのうちの１つにそれぞれ関連した接続シグナリングメッセージか、前記第１種類の固有の無線接続要求メッセージと前記第２種類の固有の無線接続要求メッセージとのうちの１つにそれぞれ関連した接続肯定応答シグナリングメッセージを含む請求項１１に記載の方法。
【請求項１３】
前記第１種類の固有の無線接続要求メッセージが元々の会話呼出、終了会話呼出および非常会話呼出からなるグループから選択される確立原因を含み、前記第２種類の固有の無線接続要求メッセージが登録を有する確立原因を含み、サービス要求シグナリングメッセージまたは設定シグナリングメッセージのうちの１つが後に続く請求項１２に記載の方法。
【請求項１４】
前記異常解除が、異常原因コードを有し、アクセス成功に対応する警報シグナリングメッセージに関連した解除シグナリングメッセージを含む請求項１０に記載の方法。
【請求項１５】
前記異常切断が、異常原因コードを有し、前記アクセス成功に対応する前記警報シグナリングメッセージに関連した切断シグナリングメッセージを含む請求項１０に記載の方法。
【請求項１６】
前記複数の通信メッセージが汎用移動電話システム（「ＵＭＴＳ」）プロトコルのメッセージを含み、前記接続品質特性が以下の式
呼出中断の数＝Σ状態変化による呼出中断＋Σ異常解除＋Σ異常切断
この場合、
Σ状態変化による呼出中断＝
状態変化の間にＲＥＬＥＡＳＥ＿ＮＡＳ＿ＳｉｇｎａｌｉｎｇメッセージまたはＤＩＳＣＯＮＮＥＣＴ＿ＮＡＳ＿Ｓｉｇｎａｌｉｎｇのメッセージが存在し、アクセス成功に関連している場合を除く、ＣＯＮＮＥＣＴＩＯＮ＿ＡＣＴＩＶＥからＣＯＮＮＥＣＴＩＯＮ＿ＩＤＬＥへのＮＡＳ＿ＭＭ状態変化の合計数であって、前記アクセス成功が
第１種類の固有のＲＲＣ＿Ｃｏｎｎｅｃｔｉｏｎ＿Ｒｅｑｕｅｓｔメッセージと第２種類の固有のＲＲＣ＿Ｃｏｎｎｅｃｔｉｏｎ＿Ｒｅｑｕｅｓｔメッセージとのうちの１つにそれぞれ関連したＡＬＥＲＴＩＮＧ＿ＮＡＳ＿Ｓｉｇｎａｌｉｎｇのメッセージ
または、
関連したＡＬＥＲＴＩＮＧ＿ＮＡＳ＿Ｓｉｇｎａｌｉｎｇのメッセージのない、前記第１種類の固有のＲＲＣ＿Ｃｏｎｎｅｃｔｉｏｎ＿Ｒｅｑｕｅｓｔメッセージと前記第２種類の固有のＲＲＣ＿Ｃｏｎｎｅｃｔｉｏｎ＿Ｒｅｑｕｅｓｔメッセージとのうちの１つにそれぞれ関連したＣＯＮＮＥＣＴ＿ＮＡＳ＿Ｓｉｇｎａｌｉｎｇメッセージ
または、
関連したＡＬＥＲＴＩＮＧ＿ＮＡＳ＿Ｓｉｇｎａｌｉｎｇメッセージまたは関連したＣＯＮＮＥＣＴ＿ＮＡＳ＿Ｓｉｇｎａｌｉｎｇメッセージのない、前記第１種類の固有のＲＲＣ＿Ｃｏｎｎｅｃｔｉｏｎ＿Ｒｅｑｕｅｓｔメッセージと前記第２種類の固有のＲＲＣ＿Ｃｏｎｎｅｃｔｉｏｎ＿Ｒｅｑｕｅｓｔメッセージとのうちの１つにそれぞれ関連したＣＯＮＮＥＣＴ＿ＡＣＫ＿ＮＡＳ＿Ｓｉｇｎａｌｉｎｇメッセージを含み、
前記第１種類の固有のＲＲＣ＿Ｃｏｎｎｅｃｔｉｏｎ＿Ｒｅｑｕｅｓｔメッセージが、ＯＲＩＧＩＮＡＴＩＮＧ＿ＣＯＮＶＥＲＳＡＴＩＯＮＡＬ＿ＣＡＬＬ、ＴＥＲＭＩＮＡＴＩＮＧ＿ＣＯＮＶＥＲＳＡＴＩＯＮＡＬ＿ＣＡＬＬおよびＥＭＥＲＧＥＮＣＹ＿ＣＡＬＬのうちの１つを含む確立原因（ＥＳＴＡＢＬＩＳＨＭＥＮＴＣＡＵＳＥ）を含み、
前記第２種類の固有のＲＲＣ＿Ｃｏｎｎｅｃｔｉｏｎ＿Ｒｅｑｕｅｓｔメッセージが、確立原因（ＥＳＴＡＢＬＩＳＨＭＥＮＴＣＡＵＳＥ）＝間に任意の新しいＲＲＣ＿Ｃｏｎｎｅｃｔｉｏｎ＿Ｒｅｑｕｅｓｔメッセージがない、ＳＥＲＶ＿ＴＹＰＥ＝１のＣＭ＿ＳＥＲＶＩＣＥ＿ＲＥＱＵＥＳＴ＿ＮＡＳ＿Ｓｉｇｎａｌｉｎｇか、またはＳＥＴＵＰ＿ＮＡＳ＿Ｓｉｇｎａｌｉｎｇメッセージのいずれかが後に続く登録（ＲＥＧＩＳＴＲＡＴＩＯＮ）を含み、
Σ異常解除＝
原因（ＣＡＵＳＥ）≠正常（ＮＯＲＭＡＬ）であり、前記アクセス成功に対応するＡＬＥＲＴＩＮＧ＿ＮＡＳ＿Ｓｉｇｎａｌｉｎｇメッセージに関連しており、関連したＤＩＳＣＯＮＮＥＣＴ＿ＮＡＳ＿Ｓｉｇｎａｌｉｎｇメッセージが先行していないＲＥＬＥＡＳＥ＿ＮＡＳ＿Ｓｉｇｎａｌｉｎｇメッセージの合計数であり、
Σ異常切断＝
原因（ＣＡＵＳＥ）≠正常（ＮＯＲＭＡＬ）であり、前記アクセス成功に対応するＡＬＥＲＴＩＮＧ＿ＮＡＳ＿Ｓｉｇｎａｌｉｎｇメッセージに関連しており、関連したＲＥＬＥＡＳＥ＿ＮＡＳ＿Ｓｉｇｎａｌｉｎｇメッセージが先行していないＤＩＳＣＯＮＮＥＣＴ＿ＮＡＳ＿Ｓｉｇｎａｌｉｎｇの合計数、
によって判定される呼出中断を含む請求項１に記載の方法。
【請求項１７】
ワイヤレスデバイスとワイヤレス通信ネットワークとの間の接続品質を判定する方法であって、
前記ワイヤレス通信ネットワーク上の前記ワイヤレスデバイスから送信され、前記ワイヤレスデバイスによって受信される複数の通信メッセージを受信することと、
所定のメッセージのシーケンスを検出することに基づいて、前記複数の通信メッセージの中で接続品質特性を同定することと、
前記接続品質特性を含む、前記受信された複数のメッセージに関連した接続品質記録を生成することと、
前記接続品質記録に基づいて、前記ワイヤレス通信ネットワークの中の前記ワイヤレスデバイスとネットワーク構成要素とのうちの少なくとも１つのために構成変更を生成することとを含む方法。
【請求項１８】
前記ワイヤレス通信ネットワーク上の第２ワイヤレスデバイスから送信され、前記第２ワイヤレスデバイスによって受信される第２の複数の通信メッセージを受信することと、
それぞれが前記複数の通信と前記第２の複数の通信とに対応し、それぞれが前記ワイヤレスデバイスと前記第２ワイヤレスデバイスとに対応している位置情報の第１セットと位置情報の第２セットとを受信することとをさらに含み、前記接続品質記録を生成することが、前記接続品質特性を、位置情報の前記第１セットおよび前記第２第セットからの位置に相関させることをさらに含む請求項１７に記載の方法。
【請求項１９】
ワイヤレスデバイスの接続品質を判定する装置であって、
ワイヤレス通信ネットワークを介して前記ワイヤレスデバイスから送信される送信メッセージを含む、前記ワイヤレスデバイスによって記録される複数の通信メッセージを受信するように動作可能なユーザマネージャと、
前記複数の通信メッセージの中で所定の通信メッセージのシーケンスを検出することに基づいて、接続品質特性を含む接続品質記録を生成するように動作可能な接続品質モジュールとを含む装置。
【請求項２０】
前記接続品質特性がアクセス失敗と呼出中断とのうちの少なくとも１つを含む請求項１９に記載の装置。
【請求項２１】
複数の通信の間に、前記ワイヤレスデバイスの少なくとも１つの位置に対応する位置情報を受信するように動作可能なユーザマネージャをさらに含み、前記接続品質モジュールが、前記位置情報を前記生成された接続品質記録の中の前記接続品質特性と関連させるようにさらに動作可能である請求項１９に記載の装置。
【請求項２２】
前記位置情報が、前記ワイヤレスデバイスの地理上の位置と、前記ワイヤレスデバイスと通信するネットワーク構成要素の地理上の位置とのうちの少なくとも１つを含む請求項２１に記載の装置。
【請求項２３】
前記接続品質特性に基づいて、前記ワイヤレスデバイスと前記ワイヤレス通信ネットワークのネットワーク構成要素とのうちの少なくとも１つの最適な構成を生成するように動作可能な最適化モジュールをさらに含む請求項１９に記載の装置。
【請求項２４】
前記接続品質特性が、アクセス試行とアクセス成功との間の所定の関係に基づいているアクセス失敗を含む請求項１９に記載の装置。
【請求項２５】
前記アクセス試行が、元々の会話呼出、終了会話呼出および非常会話呼出からなるグループから選択される確立原因を有する第１種類の固有の無線接続要求メッセージか、または登録を含む確立原因を有し、接続要求シグナリングメッセージまたは設定シグナリングメッセージのうちの１つが後に続く第２種類の固有の無線接続要求メッセージを含む請求項２４に記載の装置。
【請求項２６】
前記アクセス成功が、前記第１種類の固有の無線接続要求メッセージまたは前記第２種類の固有の無線接続要求メッセージのうちの１つにそれぞれ関連した警報シグナリングメッセージか、前記第１種類の固有の無線接続要求メッセージまたは前記第２種類の固有の無線接続要求メッセージのうちの１つにそれぞれ関連した接続シグナリングメッセージか、前記第１種類の固有の無線接続要求メッセージまたは前記第２種類の固有の無線接続要求メッセージのうちの１つにそれぞれ関連した接続肯定応答シグナリングメッセージを含む請求項２５に記載の装置。
【請求項２７】
前記複数の通信メッセージが汎用移動電話システム（「ＵＭＴＳ」）プロトコルのメッセージを含み、前記接続品質特性がアクセス失敗を含み、前記接続品質モジュールが以下の式
アクセス失敗の数＝Σアクセス試行−Σアクセス成功
この場合、
Σアクセス試行＝
確立原因（ＥＳＴＡＢＬＩＳＨＭＥＮＴＣＡＵＳＥ）がＯＲＩＧＩＮＡＴＩＮＧ＿ＣＯＮＶＥＲＳＡＴＩＯＮＡＬ＿ＣＡＬＬ、ＴＥＲＭＩＮＡＴＩＮＧ＿ＣＯＮＶＥＲＳＡＴＩＯＮＡＬ＿ＣＡＬＬおよびＥＭＥＲＧＥＮＣＹ＿ＣＡＬＬのうちの１つを含む、第１種類の固有のＲＲＣ＿Ｃｏｎｎｅｃｔｉｏｎ＿Ｒｅｑｕｅｓｔメッセージの合計数
＋
確立原因（ＥＳＴＡＢＬＩＳＨＭＥＮＴＣＡＵＳＥ）＝ＳＥＲＶ＿ＴＹＰＥ＝１のＣＭ＿ＳＥＲＶＩＣＥ＿ＲＥＱＵＥＳＴ＿ＮＡＳ＿Ｓｉｇｎａｌｉｎｇか、またはＳＥＴＵＰ＿ＮＡＳ＿Ｓｉｇｎａｌｉｎｇメッセージのいずれかが後に続く登録（ＲＥＧＩＳＴＲＡＴＩＯＮ）である、第２種類の固有のＲＲＣ＿Ｃｏｎｎｅｃｔｉｏｎ＿Ｒｅｑｕｅｓｔメッセージの合計数であり、
Σアクセス成功＝
前記第１種類の固有のＲＲＣ＿Ｃｏｎｎｅｃｔｉｏｎ＿Ｒｅｑｕｅｓｔメッセージおよび前記第２種類の固有のＲＲＣ＿Ｃｏｎｎｅｃｔｉｏｎ＿Ｒｅｑｕｅｓｔメッセージのうちの１つにそれぞれ関連したＡＬＥＲＴＩＮＧ＿ＮＡＳ＿Ｓｉｇｎａｌｉｎｇメッセージの合計数
＋
関連したＡＬＥＲＴＩＮＧ＿ＮＡＳ＿Ｓｉｇｎａｌｉｎｇメッセージのない、前記第１種類の固有のＲＲＣ＿Ｃｏｎｎｅｃｔｉｏｎ＿Ｒｅｑｕｅｓｔメッセージおよび前記第２種類の固有のＲＲＣ＿Ｃｏｎｎｅｃｔｉｏｎ＿Ｒｅｑｕｅｓｔメッセージのうちの１つにそれぞれ関連したＣＯＮＮＥＣＴ＿ＮＡＳ＿Ｓｉｇｎａｌｉｎｇメッセージの合計数
＋
関連したＡＬＥＲＴＩＮＧ＿ＮＡＳ＿Ｓｉｇｎａｌｉｎｇメッセージまたは関連したＣＯＮＮＥＣＴ＿ＮＡＳ＿Ｓｉｇｎａｌｉｎｇメッセージのない、前記第１種類の固有のＲＲＣ＿Ｃｏｎｎｅｃｔｉｏｎ＿Ｒｅｑｕｅｓｔメッセージおよび前記第２種類の固有のＲＲＣ＿Ｃｏｎｎｅｃｔｉｏｎ＿Ｒｅｑｕｅｓｔメッセージのうちの１つにそれぞれ関連したＣＯＮＮＥＣＴ＿ＡＣＫ＿ＮＡＳ＿Ｓｉｇｎａｌｉｎｇメッセージの合計数、
によってアクセス失敗を判定する請求項１９に記載の装置。
【請求項２８】
前記接続品質特性が、状態変化、異常解除および異常切断のうちの少なくとも１つに基づく呼出中断を含む請求項１９に記載の装置。
【請求項２９】
前記接続品質モジュールが、前記状態変化の間に関連した解除シグナリングメッセージまたは切断シグナリングメッセージのない、アクセス成功の後に続くアクティブ状態からアイドル状態への変化を前記複数の通信メッセージの中で同定することによって、前記状態変化を同定するように動作可能である請求項２８に記載の装置。
【請求項３０】
前記アクセス成功が、第１種類の固有の無線接続要求メッセージおよび第２種類の固有の無線接続要求メッセージのうちの１つにそれぞれ関連した警報シグナリングメッセージか、前記第１種類の固有の無線接続要求メッセージおよび前記第２種類の固有の無線接続要求メッセージのうちの１つにそれぞれ関連した接続シグナリングメッセージか、前記第１種類の固有の無線接続要求メッセージおよび前記第２種類の固有の無線接続要求メッセージのうちの１つにそれぞれ関連した接続肯定応答シグナリングメッセージを含む請求項２９に記載の装置。
【請求項３１】
前記第１種類の固有の無線接続要求メッセージが元々の会話呼出、終了会話呼出および非常会話呼出からなるグループから選択される確立原因を含み、前記第２種類の固有の無線接続要求メッセージが登録を有する確立原因を含み、サービス要求シグナリングメッセージまたは設定シグナリングメッセージのうちの１つが後に続く請求項３０に記載の装置。
【請求項３２】
前記異常解除が、異常原因コードを有し、アクセス成功に対応する警報シグナリングメッセージに関連した解除シグナリングメッセージを含む請求項２８に記載の装置。
【請求項３３】
前記異常切断が、異常原因コードを有し、前記アクセス成功に対応する前記警報シグナリングメッセージに関連した切断シグナリングメッセージを含む請求項２８に記載の装置。
【請求項３４】
前記複数の通信メッセージが汎用移動電話システム（「ＵＭＴＳ」）プロトコルのメッセージを含み、前記接続品質特性が呼出中断を含み、前記接続品質モジュールが、以下の式
呼出中断の数＝Σ状態変化による呼出中断＋Σ異常解除＋Σ異常切断
この場合、
Σ状態変化による呼出中断＝
状態変化の間にＲＥＬＥＡＳＥ＿ＮＡＳ＿ＳｉｇｎａｌｉｎｇメッセージまたはＤＩＳＣＯＮＮＥＣＴ＿ＮＡＳ＿Ｓｉｇｎａｌｉｎｇメッセージが存在し、アクセス成功に関連している場合を除く、ＣＯＮＮＥＣＴＩＯＮ＿ＡＣＴＩＶＥからＣＯＮＮＥＣＴＩＯＮ＿ＩＤＬＥへのＮＡＳ＿ＭＭ状態変化の合計数であって、前記アクセス成功が、
第１種類の固有のＲＲＣ＿Ｃｏｎｎｅｃｔｉｏｎ＿Ｒｅｑｕｅｓｔメッセージと第２種類の固有のＲＲＣ＿Ｃｏｎｎｅｃｔｉｏｎ＿Ｒｅｑｕｅｓｔメッセージとのうちの１つにそれぞれ関連したＡＬＥＲＴＩＮＧ＿ＮＡＳ＿Ｓｉｇｎａｌｉｎｇのメッセージ
または、
関連したＡＬＥＲＴＩＮＧ＿ＮＡＳ＿Ｓｉｇｎａｌｉｎｇのメッセージのない、前記第１種類の固有のＲＲＣ＿Ｃｏｎｎｅｃｔｉｏｎ＿Ｒｅｑｕｅｓｔメッセージと第前記２種類の固有のＲＲＣ＿Ｃｏｎｎｅｃｔｉｏｎ＿Ｒｅｑｕｅｓｔメッセージとのうちの１つにそれぞれ関連したＣＯＮＮＥＣＴ＿ＮＡＳ＿Ｓｉｇｎａｌｉｎｇメッセージ
または、
関連したＡＬＥＲＴＩＮＧ＿ＮＡＳ＿Ｓｉｇｎａｌｉｎｇメッセージまたは関連したＣＯＮＮＥＣＴ＿ＮＡＳ＿Ｓｉｇｎａｌｉｎｇメッセージのない、前記第１種類の固有のＲＲＣ＿Ｃｏｎｎｅｃｔｉｏｎ＿Ｒｅｑｕｅｓｔメッセージと第前記２種類の固有のＲＲＣ＿Ｃｏｎｎｅｃｔｉｏｎ＿Ｒｅｑｕｅｓｔメッセージとのうちの１つにそれぞれ関連したＣＯＮＮＥＣＴ＿ＡＣＫ＿ＮＡＳ＿Ｓｉｇｎａｌｉｎｇメッセージを含み、
前記第１種類の固有のＲＲＣ＿Ｃｏｎｎｅｃｔｉｏｎ＿Ｒｅｑｕｅｓｔメッセージが、ＯＲＩＧＩＮＡＴＩＮＧ＿ＣＯＮＶＥＲＳＡＴＩＯＮＡＬ＿ＣＡＬＬ、ＴＥＲＭＩＮＡＴＩＮＧ＿ＣＯＮＶＥＲＳＡＴＩＯＮＡＬ＿ＣＡＬＬおよびＥＭＥＲＧＥＮＣＹ＿ＣＡＬＬのうちの１つを含む確立原因（ＥＳＴＡＢＬＩＳＨＭＥＮＴＣＡＵＳＥ）を含み、
前記第２種類の固有のＲＲＣ＿Ｃｏｎｎｅｃｔｉｏｎ＿Ｒｅｑｕｅｓｔメッセージが、確立原因（ＥＳＴＡＢＬＩＳＨＭＥＮＴＣＡＵＳＥ）＝間に任意の新しいＲＲＣ＿Ｃｏｎｎｅｃｔｉｏｎ＿Ｒｅｑｕｅｓｔメッセージがない、ＳＥＲＶ＿ＴＹＰＥ＝１のＣＭ＿ＳＥＲＶＩＣＥ＿ＲＥＱＵＥＳＴ＿ＮＡＳ＿Ｓｉｇｎａｌｉｎｇか、またはＳＥＴＵＰ＿ＮＡＳ＿Ｓｉｇｎａｌｉｎｇメッセージのいずれかが後に続く登録（ＲＥＧＩＳＴＲＡＴＩＯＮ）を含み、
Σ異常解除＝
原因（ＣＡＵＳＥ）≠正常（ＮＯＲＭＡＬ）であり、前記アクセス成功に対応するＡＬＥＲＴＩＮＧ＿ＮＡＳ＿Ｓｉｇｎａｌｉｎｇメッセージに関連しており、関連したＤＩＳＣＯＮＮＥＣＴ＿ＮＡＳ＿Ｓｉｇｎａｌｉｎｇメッセージが先行していないＲＥＬＥＡＳＥ＿ＮＡＳ＿Ｓｉｇｎａｌｉｎｇメッセージの合計数であり、
Σ異常切断＝
原因（ＣＡＵＳＥ）≠正常（ＮＯＲＭＡＬ）であり、前記アクセス成功に対応するＡＬＥＲＴＩＮＧ＿ＮＡＳ＿Ｓｉｇｎａｌｉｎｇメッセージに関連しており、任意のＲＥＬＥＡＳＥ＿ＮＡＳ＿Ｓｉｇｎａｌｉｎｇメッセージが先行していないＤＩＳＣＯＮＮＥＣＴ＿ＮＡＳ＿Ｓｉｇｎａｌｉｎｇの合計数
によって前記呼出中断を判定するように動作可能である請求項１９に記載の装置。
【請求項３５】
ワイヤレスデバイスとワイヤレス通信ネットワークとの間の接続品質を判定するための装置であって、
前記ワイヤレス通信ネットワーク上の前記ワイヤレスデバイスから送信され、前記ワイヤレスデバイスによって受信される複数の通信メッセージを受信するための第１手段と、
所定のメッセージのシーケンスを検出することに基づいて、前記複数の通信メッセージの中で接続品質特性を同定するための第２手段と、
前記接続品質特性を含む、前記受信された複数のメッセージに関連した接続品質記録を生成するための第３手段と、
前記接続品質記録に基づいて、前記ワイヤレスデバイスと前記ワイヤレス通信ネットワークの中のネットワーク構成要素とのうちの少なくとも１つのために構成変更を生成するための第４手段とを含む装置。
【請求項３６】
ワイヤレスデバイスとワイヤレス通信ネットワークとの間の接続品質を判定するためのコンピュータ可読媒体であって、
少なくとも１つの命令のシーケンスを含み、プロセッサによる前記命令の実行が、請求項１に記載のステップを前記プロセッサに行わせるコンピュータ可読媒体。
【請求項３７】
ワイヤレスデバイスとワイヤレス通信ネットワークとの間の接続品質を判定するためのコンピュータ可読媒体であって、
少なくとも１つの命令のシーケンスを含み、プロセッサによる前記命令の実行が、請求項１６に記載のステップを前記プロセッサに行わせるコンピュータ可読媒体。
【請求項３８】
ワイヤレスデバイスとワイヤレス通信ネットワークとの間の接続品質を判定するためのコンピュータ可読媒体であって、
少なくとも１つの命令のシーケンスを含み、プロセッサによる前記命令の実行が、請求項１７に記載のステップを前記プロセッサに行わせるコンピュータ可読媒体。
【請求項３９】
それぞれ、ワイヤレスネットワークに複数の通信メッセージ送信し、前記ワイヤレスネットワークから前記複数の通信メッセージを受信するように動作可能なプロセッサと、
前記ワイヤレス通信ネットワークの中で前記通信メッセージを集めて転送するように動作可能な実行可能命令を含む常駐接続品質モジュールを有するメモリとを含み、所定の前記複数の通信メッセージのシーケンスが、前記ワイヤレスネットワーク上の前記ワイヤレスデバイスの接続品質特性に対応するワイヤレス通信デバイス。
【請求項４０】
ワイヤレス通信デバイスからワイヤレス通信ネットワークへの送信のため、および前記ワイヤレス通信ネットワークからの前記ワイヤレス通信デバイスによる受信のために、複数の通信メッセージを処理するように構成された論理と、
通信ログの形態の前記複数の通信メッセージを集めて、所定の時間に前記通信ログを前記ワイヤレス通信ネットワークの中で送信するように構成された論理とを含み、
所定の前記複数の通信メッセージのシーケンスが、前記ワイヤレスネットワーク上の前記ワイヤレスデバイスの接続品質特性に対応するワイヤレス通信デバイス。
【請求項４１】
ワイヤレス通信デバイスからワイヤレス通信ネットワークへの送信のため、および前記ワイヤレス通信ネットワークからの前記ワイヤレス通信デバイスによる受信のために、複数の通信メッセージを処理するための第１手段と、
通信ログの形態の前記複数の通信メッセージを集めて、所定の時間に前記通信ログを前記ワイヤレス通信ネットワークの中で送信するための第２手段とを含み、
所定の前記複数の通信メッセージのシーケンスが、前記ワイヤレスネットワーク上の前記ワイヤレスデバイスの接続品質特性に対応するワイヤレス通信デバイス。
【請求項４２】
ワイヤレス通信デバイスの接続品質特性を判定するための方法であって、
ワイヤレス通信デバイスからワイヤレス通信ネットワークへの送信のため、および前記ワイヤレス通信ネットワークからの前記ワイヤレス通信デバイスによる受信のために、複数の通信メッセージを処理することと、
通信ログの形態の前記複数の通信メッセージを集めることと、
所定の時間に前記通信ログを前記ワイヤレス通信ネットワークの中で送信することとを含み、
所定の前記複数の通信メッセージのシーケンスが、前記ワイヤレスネットワーク上の前記ワイヤレスデバイスの接続品質特性に対応する方法。
【請求項４３】
ワイヤレスデバイスとワイヤレス通信ネットワークとの間の接続品質特性を判定するためのコンピュータ可読媒体であって、
少なくとも１つの命令のシーケンスを含み、プロセッサによる前記命令の実行が、請求項４２に記載のステップを前記プロセッサに行わせるコンピュータ可読媒体。
【発明の詳細な説明】
【技術分野】
【０００１】
開示される実施形態は、ワイヤレスデバイスおよびワイヤレス通信ネットワークに関し、より詳細には、ワイヤレスネットワーク上のワイヤレスデバイスの接続品質を判定するための装置および方法に関する。
【背景技術】
【０００２】
移動電話、ページャ、ハンドヘルドコンピュータ、その他のワイヤレス通信デバイスは、業務利用と個人利用との両方について、ますます一般的なものになってきている。そうしたデバイスの１つの利点は、それらの「ワイヤレス」の側面であり、ユーザが望む場合にはいつ、どこででも、それらが利用されるのを可能にする。ワイヤレスデバイスの使用が増えるにつれ、また関連のワイヤレス通信ネットワークが増えるにつれ、ユーザは、どんな場所でもワイヤレスネットワークに接続することができることをますます期待している。したがって、ワイヤレスデバイスを利用する際のユーザ満足度の１つの側面は、ワイヤレスネットワークと通信接続を確立するためのワイヤレスデバイスの能力とともに、その接続を維持するためのワイヤレスデバイスの能力に関係する。
【０００３】
一部の通信プロトコルでは、アクセス失敗および呼出中断などの接続特性に関連したイベントを定義する標準メカニズムを開発してきた。例えば符号分割多元接続（「ＣＤＭＡ」）プロトコルでは、そのようなメカニズムは、例えば暫定標準（「ＩＳ」）−９５規格から失敗を定義するイベントに関連したタイマを含み、時間制限Ｔ５ｍは呼出中断に関連する。汎用移動電話システム（「ＵＭＴＳ」）プロトコルなどのその他のプロトコルは、接続品質特性に対応する、そうした標準メカニズムを持たない。そうした標準メカニズムがないと、ワイヤレスデバイスとワイヤレスネットワークとの間の接続品質を測定し、管理することは困難である。
【発明の開示】
【０００４】
１つまたは複数の先行技術の欠点に対処するために、開示される実施形態はシステムを提供し、標準の無線通信メッセージに基づいてワイヤレスネットワーク上のワイヤレスデバイスの接続品質を判定するために方法が開示される。
【０００５】
１つの実施形態で、ワイヤレスデバイスとワイヤレス通信ネットワークとの間の接続品質を判定するための方法は、ワイヤレス通信ネットワークを介してワイヤレスデバイスから送信され、同デバイスによって受信されるメッセージを含む、ワイヤレスデバイスによって記録される複数の通信メッセージを受信することを含む。この方法は、複数の通信メッセージの中で所定の通信メッセージのシーケンスを検出することに基づいて、接続品質特性を含む接続品質記録を生成することをさらに含む。代替実施形態で、ワイヤレスデバイスとワイヤレス通信ネットワークとの間の接続品質を判定するためのコンピュータ可読媒体は少なくとも１つの命令のシーケンスを含み、プロセッサによるその命令の実行が、プロセッサに上述のステップを行わせる。
【０００６】
別の実施形態で、ワイヤレスデバイスとワイヤレス通信ネットワークとの間の接続品質を判定する方法は、ワイヤレス通信ネットワーク上のワイヤレスデバイスから送信され、同デバイスによって受信される複数の通信メッセージを受信することと、所定のメッセージのシーケンスを検出することに基づいて、複数の通信メッセージの中で接続品質特性を同定することとを含む。この方法は、接続品質特性を含む、受信された複数のメッセージに関連した接続品質記録を生成することと、接続品質記録に基づいて、ワイヤレス通信ネットワークの中のワイヤレスデバイスとネットワーク構成要素とのうちの少なくとも１つのために、構成変更を生成することとをさらに含む。代替実施形態で、ワイヤレスデバイスとワイヤレス通信ネットワークとの間の接続品質を判定するためのコンピュータ可読媒体は少なくとも１つの命令のシーケンスを含み、プロセッサによるその命令の実行が、プロセッサに上述のステップを行わせる。
【０００７】
さらなる実施形態で、ワイヤレスデバイスの接続品質を判定する装置は、ワイヤレス通信ネットワークを介してワイヤレスデバイスから送られた送信メッセージを含む、ワイヤレスデバイスによって記録される複数の通信メッセージを受信するように動作可能なユーザマネージャを含む。この装置は、複数の通信メッセージの中で所定の通信メッセージのシーケンスを検出することに基づいて、接続品質特性を含む接続品質記録を生成するように動作可能な接続品質モジュールをさらに含む。
【０００８】
さらなる実施形態で、ワイヤレスデバイスとワイヤレス通信ネットワークとの間の接続品質を判定するための装置は、ワイヤレス通信ネットワーク上のワイヤレスデバイスから送信され、同デバイスによって受信される複数の通信メッセージを受信するための第１手段と、所定のメッセージのシーケンスを検出することに基づいて、複数の通信メッセージの中で接続品質特性を同定するための第２手段とを含む。この装置は、接続品質特性を含む、受信された複数のメッセージに関連した接続品質記録を生成するための第３手段をさらに含む。さらにこの装置は、接続品質記録に基づいて、ワイヤレス通信ネットワークの中のワイヤレスデバイスとネットワーク構成要素とのうちの少なくとも１つのために、構成変更を生成するための第４手段を含む。
【０００９】
別の実施形態で、ワイヤレス通信デバイスは、それぞれ複数の通信メッセージをワイヤレスネットワークへ送信し、ワイヤレスネットワークから受信するように動作可能なプロセッサと、常駐接続品質モジュールを有するメモリとを含む。常駐接続品質モジュールは、ワイヤレスネットワークの中で通信メッセージを収集し、転送するように動作可能な実行可能命令を含み、所定の複数の通信メッセージのシーケンスは、ワイヤレスネットワーク上のワイヤレスデバイスの接続品質特性に対応する。
【００１０】
さらに別の実施形態で、ワイヤレス通信デバイスは、ワイヤレス通信デバイスからワイヤレス通信ネットワークへの送信のため、およびワイヤレス通信ネットワークからのワイヤレス通信デバイスによる受信のために、複数の通信メッセージを処理するように構成された論理を含む。このデバイスは、通信ログの形態の複数の通信メッセージを集め、所定の時間に通信ログをワイヤレス通信ネットワークの中で送信するように構成された論理をさらに含む。さらに、所定の複数の通信メッセージのシーケンスは、ワイヤレスネットワーク上のワイヤレスデバイスの接続品質特性に対応する。
【００１１】
さらに別の実施形態で、ワイヤレス通信デバイスは、ワイヤレス通信デバイスからワイヤレス通信ネットワークへの送信のため、およびワイヤレス通信ネットワークからのワイヤレス通信デバイスによる受信のために、複数の通信メッセージを処理するための第１手段を含む。このデバイスは、通信ログの形態の複数の通信メッセージを集め、所定の時間に通信ログをワイヤレス通信ネットワークの中で送信するための第２手段をさらに含み、所定の複数の通信メッセージのシーケンスは、ワイヤレスネットワーク上のワイヤレスデバイスの接続品質特性に対応する。
【００１２】
別の実施形態で、ワイヤレス通信デバイスの接続品質特性を判定するための方法は、ワイヤレス通信デバイスからワイヤレス通信ネットワークへの送信のため、およびワイヤレス通信ネットワークからのワイヤレス通信デバイスによる受信のために、複数の通信メッセージを処理することを含む。この方法は、通信ログの形態の複数の通信メッセージを集め、所定の時間に通信ログをワイヤレス通信ネットワークの中で送信することをさらに含み、所定の複数の通信メッセージのシーケンスは、ワイヤレスネットワーク上のワイヤレスデバイスの接続品質特性に対応する。代替実施形態で、ワイヤレスデバイスとワイヤレス通信ネットワークとの間の接続品質を判定するためのコンピュータ可読媒体は少なくとも１つの命令のシーケンスを含み、プロセッサによるその命令の実行が、プロセッサに上述のステップを行わせる。
【００１３】
開示される実施形態のさらなる態様および利点は、一部は以下の説明で言及されており、一部は説明から明らかであり、また開示される実施形態の実行によって理解されてもよい。開示される実施形態の態様および利点はまた、添付の特許請求の範囲の中で詳細に指摘される手段および組合せによって認識され、達成されてもよい。
【００１４】
開示される実施形態は、開示される実施形態を限定するためではなく、例示するために与えられた、同じ記号が同じエレメントを示す添付の図面と合わせて、以下で説明される。
【発明を実施するための最良の形態】
【００１５】
開示される実施形態は、ワイヤレスネットワークとの通信活動の間にワイヤレスデバイスによって記録される通信メッセージに関連した、アクセス失敗および呼出中断などの接続特性を判定するための装置および方法を含む。これらの装置および方法は、標準の無線メッセージなどの所定の通信メッセージのシーケンスを同定し、それらを例えばアクセス失敗イベントおよび／または呼出中断イベントと関連させて、接続品質が測定、分析および／または改良されることを可能にする。説明される装置および方法は、限定されるわけではないが、汎用移動電話システム（「ＵＭＴＳ」）プロトコルなどの標準化された接続品質関連のイベントのメカニズムを伴わない通信プロトコルに特に適している。
【００１６】
図１〜３を参照すると、接続品質判定システム１０の１つの実施形態は、接続品質特性２６を判定するために、各々のワイヤレスデバイス通信ログ２２をユーザマネージャサーバ２４に転送するように動作可能な常駐接続品質モジュール２０を各々が有する、複数のワイヤレスデバイス１２、１４、１６、１７、１８を含む。例えば接続品質特性２６は、以下でより詳細に説明されるように、ログ２２によって反映される、各々のワイヤレスデバイス１２、１４、１６、１７、１８から送信される、および／または同デバイスによって受信される複数の通信メッセージ２８に関連したアクセス失敗測定基準および／または呼出中断測定基準の形態であってもよい。複数のワイヤレスデバイス１２、１４、１６、１７、１８はワイヤレスネットワークエリア２９に配置され、ワイヤレスネットワーク３０を介してお互いに、および／または他のコンピュータデバイスと通信する。ユーザマネージャ２４は、受信されるログ２２の中に含まれた複数の通信メッセージ２８を所定のパラメータに従って分析するために、遠隔接続品質モジュール３４を動作させる分析エンジン３２を含む。例えば所定のパラメータは、アクセス失敗イベントに対応している、アクセス失敗モジュール３８によって定義される所定のシーケンス３６、および呼出中断イベントに対応している、呼出中断モジュール４２によって定義される所定のシーケンス４０などの、１つまたは複数の所定の通信メッセージのシーケンスを同定することを含む。分析エンジン３２は、もしあれば、各ログ２２からの複数の通信メッセージ２８に関連した同定された接続品質特性２６を含む接続品質記録４４を出力する。接続品質記録４４は、接続品質関連の問題を評価するために、例えば技術者などによって手動で検査されてもよい。任意で、ユーザマネージャ２４は更新されたワイヤレスデバイス構成４８および／またはネットワーク構成要素の構成５０を判定して所与の接続品質特性２６を改良するために、各々の接続品質記録４４とともに、その他のさらなるワイヤレスデバイスおよびネットワーク構成要素の構成、ならび性能データを分析する最適化モジュール４６を含んでもよい。その後ユーザマネージャ２４は、システムに関連した接続品質特性を改良するために、更新された構成４８、５０を各々のワイヤレスデバイスおよび／またはネットワーク構成要素に転送してもよい。
【００１７】
ワイヤレスデバイスはセルラー電話１２、携帯情報端末１４、双方向テキストページャ１６、ラップトップコンピュータ１７、タブレットコンピュータなどの任意の移動または携帯型の通信デバイスを含むことが可能であり、またワイヤレス通信ポータルを有し、ネットワークまたはインターネットへのワイヤード接続１９も有する独立のコンピュータプラットフォーム１８でさえも含むことが可能である。さらに、ワイヤレスデバイスは従属装置か、またはエンドユーザを持たずに、単にワイヤレスネットワーク３０の中でデータを通信するその他のデバイスであることが可能である。例えば、ワイヤレスデバイスは遠隔センサ、診断ツール、データ中継器等を含んでもよい。したがって、ワイヤレスデバイスに記録される通信メッセージに基づいてワイヤレス接続品質を判定する装置および方法は、ワイヤレス通信ポータル、ワイヤレスモデム、ＰＣＭＣＩＡカード、アクセス端末、パーソナルコンピュータ、電話機、またはそれらの任意の組合せまたは副次的組合せを含む、ワイヤレス通信デバイスまたはモジュールの任意の形態に適用されることが可能である。
【００１８】
例えば図２を参照すると、セルラー電話の実施形態で、システム１０（図１）はキャリアネットワーク６４を介してワイヤードネットワーク５２に接続されたワイヤレスネットワーク３０を含んでもよい。図２に示されている複数のセルラー電話１２などのワイヤレスデバイスは増強されたコンピューティング能力を備えて製造されており、音声およびデータを含むパケットをワイヤレスネットワーク３０を介して通信するパーソナルコンピュータおよびハンドヘルドの携帯情報端末（「ＰＤＡ」）に等しいものとなってきているので、セルラー遠距離通信用経路の使用は増加している。これらの「高性能」セルラー電話１２は、セルラー電話上で動作し、デバイス上で特定の機能を制御するソフトウェアアプリケーションをソフトウェアの開発者が作成できるようにする、アプリケーションプログラミングインタフェース（「ＡＰＩ」）５４を局所のコンピュータプラットフォーム５６にインストールしている。図２は、セルラーワイヤレスネットワークの構成要素、および本システムの１つの実施形態のエレメントの相関関係をより完全に示す代表的なブロック図である。セルラーワイヤレスネットワーク５２は単なる例であって、ワイヤレスデバイス１２、１４、１６、１７、１８などの遠隔モジュールがお互いの間およびそれらの中で、および／または限定されることなくワイヤレスネットワークキャリアおよび／またはサーバを含むワイヤレスネットワーク３０の構成要素の間およびそれらの中で、無線で通信を行う任意のシステムを含むことが可能である。
【００１９】
システム５２で、ユーザマネージャ２４はＬＡＮネットワーク５８を介して、遠隔ワイヤレスデバイス１２、１４、１６、１７、１８から集められた各々の通信ログ２２などのデータを記憶するための独立のデータリポジトリ６０と通信することができる。さらに、データ管理サーバ６２は後処理機能、データフロー制御等を与えるために、ユーザマネージャ２４と通信してもよい。ユーザマネージャ２４、データリポジトリ６０およびデータ管理サーバ６２は、セルラー遠距離通信サービスを提供するために必要とされる任意のその他のネットワーク構成要素とともに、セルラーネットワーク１００上に存在してもよい。ユーザマネージャ２４および／またはデータ管理サーバ６２は、インターネット、安全なＬＡＮ、ＷＡＮ、またはその他のネットワークなどのデータリンク６６を通じて、キャリアネットワーク６４と通信する。キャリアネットワーク６４は、移動交換局（「ＭＳＣ」）６８に送信される（一般にはデータパケットである）メッセージを制御する。さらに、キャリアネットワーク６４は、インターネットおよび／またはＰＯＴＳ（「一般電話サービス（ｐｌａｉｎ  ｏｌｄ  ｔｅｌｅｐｈｏｎｅ  ｓｅｒｖｉｃｅ）」）などのネットワーク７０によって、ＭＳＣ６８と通信する。典型的にネットワーク７０では、ネットワークまたはインターネット部分はデータを転送し、ＰＯＴＳ部分は音声情報を転送する。ＭＳＣ６８は、データネットワークおよび／またはデータ転送のためのインターネット部分および音声情報のためのＰＯＴＳ部分などの別のネットワーク７４によって、複数の基地局（「ＢＴＳ」）７２に接続されてもよい。ＢＴＳ７２は最終的に、ショートメッセージングサービス（「ＳＭＳ」）またはその他の無線方法によって、セルラー電話１２などのワイヤレスデバイスにメッセージをワイヤレスでブロードキャストする。
【００２０】
さらに、このセルラー電話の実施形態の中の複数のセルラー電話１２などの各ワイヤレスデバイスは、ワイヤレスネットワーク３０の中でデータを送信することができ、ソフトウェアアプリケーションを受信して実行し、ユーザマネージャ２４またはワイヤレスネットワーク３０に接続されたその他のコンピュータデバイスから送信されるデータを表示することができるコンピュータプラットフォーム５６を有する。コンピュータプラットフォーム５２はまた特定用途向け集積回路（「ＡＳＩＣ」）７６、またはその他のチップセット、プロセッサ、マイクロプロセッサ、論理回路もしくはその他のデータ処理デバイスも含む。ＡＳＩＣ７６またはその他のプロセッサは、ワイヤレスデバイスのメモリ７８の中の接続品質モジュール２０などの任意の常住プログラムとインタフェースするアプリケーションプログラミングインタフェース（「ＡＰＩ」）層５４を実行してもよい。ＡＰＩ５４は、各々のワイヤレスデバイス上で実行する実行環境である。そのような実行環境の１つは、カリフォルニア州サンディエゴのＱｕａｌｃｏｍｍ社によって開発されたＢｉｎａｒｙ  Ｒｕｎｔｉｍｅ  Ｅｎｖｉｒｏｎｍｅｎｔ  ｆｏｒ  Ｗｉｒｅｌｅｓｓ（登録商標）（ＢＲＥＷ（登録商標））ソフトウェアである。例えば、ワイヤレスコンピューティングデバイス上でアプリケーションの実行を制御するために動作する、その他の実効環境が利用されてもよい。メモリ７８は読み出し専用および／またはランダムアクセスメモリ（ＲＡＭおよびＲＯＭ）、ＥＰＲＯＭ、ＥＥＰＲＯＭ、フラッシュカード、またはコンピュータプロットフォームに一般的なものである任意のメモリを含んでもよい。またコンピュータプラットフォーム５６は、ユーザマネージャ２４からダウンロードされるソフトウェアアプリケーションまたはデータなどの、メモリ７８の中で頻繁に使用されることのないソフトウェアアプリケーション、ファイルまたはデータを保持することができる。局所データベース８０は典型的に１つまたは複数のフラッシュメモリセルを含むが、磁気媒体、ＥＰＲＯＭ、ＥＥＰＲＯＭ、光媒体、テープ、またはソフトもしくはハードディスクなどの、任意の第２または第３のストレージデバイスであることが可能である。
【００２１】
図３を参照すると、１つの実施形態で、コンピュータプラットフォーム５６はＡＰＩ５４とインタフェースし、各々のワイヤレスデバイスのチップセットおよび／またはＡＳＩＣ７６に関連したプロセッサなどの通信処理エンジン８２によって実行可能な、接続品質モジュール２０の常住バージョンを含む。通信処理エンジン８２は、通信を開始して維持するため、および他のネットワークデバイスとデータを交換するためなどの、それぞれのワイヤレスデバイス１２、１４、１６、１７、１８の機能およびワイヤレスネットワーク３０上の各々のデバイスの操作性を可能にするハードウェア、ファームウェア、ソフトウェアおよびそれらの組合せの中で具体化される様々な処理サブシステム８４を含む。例えば通信処理エンジン８２は音声、不揮発性メモリ、ファイルシステム、送信、受信、サーチャ、層１、層２、層３、主制御、遠隔手順、ハンドセット、電力管理、診断、デジタル信号プロセッサ、ボコーダ、メッセージング、呼出マネージャ、Ｂｌｕｅｔｏｏｔｈ（登録商標）システム、Ｂｌｕｅｔｏｏｔｈ（登録商標）ＬＰＯＳ、位置測定、位置エンジン、ユーザインタフェース、スリープ、データサービス、セキュリティ、認証、ＵＳＩＭ／ＳＩＭ、音声サービス、グラフィックス、ＵＳＢ、ＭＰＥＧなどのマルチメディア、ＧＰＲＳその他などの処理サブシステム８４のうちの１つか、またはそれらの組合せを含んでもよい。１つの実施形態で、ＡＰＩ５４は、接続品質モジュール２０の常駐バージョンが通信処理エンジン８２にアクセスできるようにするソフトウェアのクラスの拡張版を含む。これらのソフトウェアクラスの拡張版はワイヤレスデバイス上の処理サブシステム８４と通信することができ、それによってデータ読み込みとコマンドとを可能にする。例えば、このクラスは通信メッセージ２８および／または通信ログ２２を求める取り出し要求を含むコマンドを、それを呼び出すアプリケーションに代わって送信することができる。その後、クラスオブジェクトは接続品質モジュール２０の常駐バージョンに、または最終的にはワイヤレスネットワーク３０の中でユーザマネージャ２４に、サブシステムの応答を送ることができる。
【００２２】
例えば説明される実施形態では、複数の通信メッセージ２８は１つまたは複数の処理サブシステム８４によって生成され、診断サブシステムなどの別のサブシステムによって収集されてもよい。接続品質モジュール２０の常住バージョンは、この情報を収集して、ユーザマネージャ２４へのこの情報の転送を管理することを、ＡＰＩ５４を通じて実行する。
【００２３】
さらに、ワイヤレスデバイス通信ログ２２は複数の通信メッセージ２８の集合であってもよく、以下で述べられるような、さらなるワイヤレスデバイス関連情報８６を含んでもよい。複数の通信メッセージ２８は、例えば各々のワイヤレスデバイス１２、１４、１６、１７、１８から送信され、それらによって受信され、それらの中で生成されるメッセージの集合を含む。例えば、通信メッセージ２８は各々のワイヤレスデバイス１２、１４、１６、１７、１８とワイヤレスネットワーク３０との間で交換される標準の無線メッセージを含む。ワイヤレスネットワーク３０は、少なくとも一部で、各々のワイヤレスデバイス１２、１４、１６、１７、１８とワイヤレスネットワーク３０に接続された任意のその他のデバイスとの間のワイヤレス通信を可能にするように動作可能な任意の通信ネットワークを含む。さらにワイヤレスネットワーク３０は、ＢＴＳ７２などのすべてのネットワーク構成要素、およびネットワークを形成するすべての接続されたデバイスを含む。
【００２４】
さらに、接続品質モジュール２０の常駐バージョンはコンピュータプラットフォーム５６か、または各々のワイヤレスデバイス１２、１４、１６、１７、１８上のどこか別の場所から、さらなるワイヤレスデバイス関連情報８６を取り出して、ユーザマネージャ２４へのこの情報の転送を管理することを実行してもよい。例えば、さらなるワイヤレスデバイス関連情報８６は、移動体同定番号、国際移動体加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｔｙ）（「ＩＭＳＩ」）、移動体登録番号（Ｍｏｂｉｌｅ  Ｄｉｒｅｃｔｏｒｙ  Ｎｕｍｂｅｒ）（「ＭＤＮ」）、およびそれぞれのワイヤレスデバイスに関連した任意のその他の固有の同定番号などのワイヤレスデバイス同定８８を含んでもよい。さらなるワイヤレスデバイス関連情報８６はまた、汎地球測位システム（「ＧＰＳ」）、地理情報システム（「ＧＩＳ」）、地上ネットワークベースの測位システム、カリフォルニア州サンディエゴのＱｕａｌｃｏｍｍ社から入手可能なＱＰｏｉｎｔ（商標）測位ソフトウェアとｇｐｓＯｎｅ（登録商標）ハイブリッドアシストＧＰＳワイヤレス位置設定技術などの、地上ネットワークベースのシステムとＧＰＳシステムとを組み合わせたもの、および／または各々のワイヤレスデバイスの場所／位置に関連している情報を集め、変換し、操作し、分析し、作成するために使用される任意のその他のシステムまたはツールのうちの少なくとも１つか、またはそれらの任意の組合せからの位置／場所情報などの位置情報９０を含んでもよい。位置情報９０はＢＴＳ７２などのわかっている場所を有する別のネットワーク構成要素の同定をさらに含んでもよく、したがって各々のワイヤレスデバイス１２、１４、１６、１７、１８は、それによってワイヤレスデバイスの相対位置についての情報を提供するために通信を行う。さらに、さらなるワイヤレスデバイス関連情報８６は処理サブシステム８４によって生成されるか、または通信メッセージ２８の構成の中の、および／または通信メッセージ２８に関連した各々のワイヤレスデバイスの任意のその他の構成要素によって生成される処理関連のデータを含んでもよい。
【００２５】
再び図１を参照すると、ユーザマネージャ２４は任意の種類のサーバ、パーソナルコンピュータ、小型メインフレーム等のうちの少なくとも１つであってよい。ユーザマネージャ２４およびそれの対応する構成要素は、表、地図、グラフィックス、一覧、プレーンテキスト、または任意の他の種類の表示され、印刷されたアウトプットおよび／またはインタラクティブなアウトプットなどの任意の形態で、ワイヤレスデバイスから収集された通信ログ２２の実行可能一覧を与えることができる。
【００２６】
図４〜７を参照すると、１つの実施形態で、ユーザマネージャ２４によって生成されるアウトプットは、レポートによって与えられる要約情報に関連しているより詳細な情報を取得するための複数のドロップダウンメニュー８７を有するインタラクティブレポート８５の形態をしていてよい。例えば図４を参照すると、要約情報の一部はワイヤレスデバイスおよび接続品質特性に関連している特定の情報を示す表８９を含んでよい。図５および６を参照すると、別の例で、要約情報の一部は異なる接続品質特性に関連している棒グラフ９１、９３および円グラフ９５、９７の形態で示されてもよい。図７を参照すると、さらなる例で、ユーザマネージャ２４は異なる地理上の場所１０７、１０９、１１１に関連した接続品質特性の表示１０１、１０３、１０５を含む地図９９を生成してもよい。
【００２７】
再び図１を参照すると、ユーザマネージャ２４（または複数のサーバ）は、ワイヤレスデバイスがそれらの常駐アプリケーションおよびサブシステムからデータを返信するように、常駐接続品質モジュール２０などのソフトウェアエージェントまたはアプリケーションをワイヤレスネットワークエリア２９の中のワイヤレスデバイス１２、１４、１６、１７、１８に送信することができる。ワイヤレスデバイス１２、１４、１６、１７、１８は通信ログ２２などのデータをユーザマネージャ２４か、またはネットワーク上の何らかの別のコンピュータデバイスに送信してもよい。ユーザマネージャ２４は接続品質の判定、製品の設定、デバイスおよび／またはネットワークの診断および構成、および／またはデータ採掘などの目的のために、通信ログ２２を利用する。さらに、当事者に使用できる形式でデータを提供するために協力して機能するユーザマネージャ２４に関連した独立のサーバまたはコンピュータデバイス、および／またはワイヤレスデバイス１２、１４、１６、１７、１８とユーザマネージャ２４との間のデータフロー中の独立の制御層が存在することが可能である。
【００２８】
さらに上述のように、分析エンジン３２は通信ログ２２を検査して接続品質記録４４を生成するために、接続品質モジュール３４を実行する。分析エンジン３２は特定用途向け集積回路（「ＡＳＩＣ」）、チップセット、プロセッサ、マイクロプロセッサ、論理回路および任意のその他のデータ処理デバイスのうちの少なくとも１つを含む。接続品質モジュール３４はソフトウェア、ハードウェア、ファームウェア、および分析エンジン３２によって動作可能な一般的な任意の実行可能命令を含んでもよい。接続品質モジュール３４は、接続品質モジュール２０の常駐バージョンを各々のワイヤレスデバイス１２、１４、１６、１７、１８にダウンロードしてもよい。代替として、接続品質モジュール２０の常駐バージョンは、最初の組立過程の間か、または構成過程の間の直列接続を介して、各々のワイヤレスデバイスにロードされてもよい。さらに接続品質モジュール３４は、ワイヤレスデバイス１２、１４、１６、１７、１８からの通信ログ２２の収集を管理するために、ユーザマネージャ２４によって実行可能である。接続品質モジュール３４はユーザからのコマンドに基づいてログ２２を「プル」してもよく、またはログは所定の時間か、または所定のメモリ／データのストレージレベルに達する場合に、各々のデバイスから「プッシュ」されてもよい。
【００２９】
アクセス失敗モジュール３８は、通信ログ２２の中に１つまたは複数の所定の通信メッセージのシーケンス３６が存在するかどうかを判定するために分析エンジン３２によって実行可能な命令を含み、それによってアクセス失敗イベントを示す。そのようなアクセス失敗イベントは、ログ２２に関連した記録４４の中の接続品質特性２６の種類として報告される。例えば１つの実施形態で、アクセス失敗イベントはアクセス試行とアクセス成功との間の関係に基づいている。このように接続品質特性２６は、アクセス失敗イベントの合計、アクセス失敗イベントの割合、その他などの、アクセス失敗イベントに関連した任意の種類の測定基準を含んでもよい。
【００３０】
１つの実施形態で、アクセス失敗に関連した所定の通信メッセージのシーケンス３６は、アクセス試行とアクセス成功との間の相違に関連するメッセージを含む。アクセス試行は、確立の原因として開始会話呼出、終了会話呼出、または非常呼出を有する第１種類の無線接続要求メッセージを含む通信メッセージのシーケンスを含む。さらにアクセス試行は、確立の原因として登録を有する第２種類の無線接続要求メッセージを含み、間にいかなる新しい無線接続要求メッセージもなく、接続管理サービス要求シグナリングメッセージまたは設定シグナリングメッセージのうちの１つが後に続く、通信メッセージのシーケンスを含む。さらに、アクセス成功のメッセージのシーケンスは、（１）第１種類の無線接続要求メッセージもしくは第２種類の無線接続要求メッセージのうちの１つにそれぞれ関連した警報シグナリングメッセージ、または（２）第１種類の無線接続要求メッセージもしくは第２種類の無線接続要求メッセージのうちの１つにそれぞれ関連した接続シグナリングメッセージ、または（３）関連の警報シグナリングメッセージまたは関連の接続シグナリングメッセージのない、第１種類の無線接続要求メッセージもしくは第２種類の無線接続要求メッセージのうちの１つにそれぞれ関連した接続肯定応答シグナリングメッセージを含む。
【００３１】
同様に、呼出中断モジュール４２は、通信ログ２２の中に１つまたは複数の所定の通信メッセージのシーケンス４０が存在するかどうかを判定するために分析エンジン３２によって実行可能な命令を含み、それによって呼出中断を示す。そのような呼出中断イベントは、ログ２２に関連した記録４４の中の接続品質特性２６の種類として報告される。例えば１つの実施形態で、呼出中断イベントはアクセス成功の後に起こる状態変化、異常解除および異常切断に基づいている。このように接続品質特性２６は、呼出中断イベントの合計、呼出中断イベントの割合、その他などの、呼出中断イベントに関連した任意の種類の測定基準を含んでもよい。
【００３２】
１つの実施形態で、呼出中断関連の所定の通信メッセージのシーケンス４０は、異常解除、異常切断および／または状態変化に関するアクセス成功に関連したメッセージである。異常解除は、異常原因コードを有し、アクセス成功に対応している警報シグナリングメッセージに関連しており、関連した切断シグナリングメッセージが先行していない解除シグナリングメッセージを含む。異常切断は、異常原因コードを有し、アクセス成功に関連しており、任意の関連の解除シグナリングメッセージが先行していない切断シグナリングメッセージを含む。解除メッセージと切断メッセージとの両方について、正常原因コードは適当なシステムの機能に関連している。例えば、正常原因コードは成功接続、正常呼出クリア、拒否呼出、またはその他の不特定の原因に関連していてもよい。特に３ＧＰＰ仕様書２４．００８で同定されているように、またＵＭＴＳプロトコルのシグナリングメッセージの中で利用されているように、正常原因コードは原因番号０、２、４、５、７、９〜１６、２０、２１、２３、２４および３１を少なくとも含む。対照的に、異常原因コードは通信メッセージの中および／または通信ネットワーク内の何らかの誤り、および／または何らかの呼出を無効にするイベントに関連している。例えば、異常原因コードは許容不可能なチャネル、ビジーのユーザ、変更された番号、オペレータの定める禁止事項、その他に関連してもよい。特に、３ＧＰＰ仕様書２４．００８で同定されているように、またＵＭＴＳプロトコルのシグナリングメッセージの中で利用されているように、異常原因コードは原因番号１、３、６、８、１７〜１９、２２、２５〜３０、３２〜１２７など、正常原因コードとみなされないすべての原因番号を少なくとも含む。呼出中断の状態変化は、状態変化メッセージの間に正常解除シグナリングメッセージまたは正常切断シグナリングメッセージがある場合を除いて、アクティブ状態からアイドル状態への変化を含む。
【００３３】
さらに接続品質記録４４は、接続品質特性２６のアクセス失敗および呼出中断の種類を、各々のワイヤレスデバイスＩＤ８８、位置情報９０およびその他のワイヤレスデバイス関連情報８６（図３参照）などの各々のワイヤレスデバイスからのさらなる情報とをさらに関連させてもよい。このさらなる関連情報は、複数のワイヤレスデバイスからのログ２２が分析され、その結果が接続品質特性２６と地理上の位置９０とを相関させる方法で出力する場合など、接続品質の問題のトラブルシューティングと、問題のあるエリアおよび／またはデバイスの同定に役立てられてもよい。このように、接続品質記録４４は接続品質特性２６とともに、１つまたは複数の各々のワイヤレスデバイスの通信ログ２２からの複数の通信メッセージ２８に関連した任意のその他の関連データを表す任意の形態のアウトプットを含む。
【００３４】
さらに前述のように、最適化モジュール４６は、アクセス失敗および／または呼出中断を減少させることなどによって、１つまたは複数のデバイスの設定および／またはネットワーク関連の構成を最適化して接続品質を改良するために、接続品質記録４４にアクセスして所定のアルゴリズムまたはプログラムを適用してもよい。最適化モジュール４６は、アクセス失敗イベントおよび／または呼出中断イベントの発生を減少させるために、接続品質記録４４を分析して、修正されたネットワーク固有および／またはワイヤレスデバイス固有の構成変更を判定するように動作可能な任意のハードウェア、ソフトウェア、ファームウェアおよび／またはその他の実行可能命令のセットを含んでもよい。さらに最適化モジュール４６は、１つまたは複数の接続品質特性２６のさらなる分析および最適化を行う目的で、複数の通信メッセージ２８に関連したさらなる通信関連データを取り出すために、各々のワイヤレスデバイス１２、１４、１６、１７、１８および／または基地局などのネットワーク構成要素とのさらなる通信を開始するように動作可能であってもよい。最適化モジュール４６によって行われる最適化はまた、技術者が接続品質記録４４および任意の関連した通信関連データを手動で検査することによって、すべてまたは部分的に行われてもよい。
【００３５】
例えば図８を参照すると、各々のワイヤレスデバイス１２、１４、１６、１７、１８によって記録される複数の通信メッセージ２８を受信した後、アクセス試行を判定する方法の１つの実施形態は、第１の通信メッセージを、それが接続要求メッセージであるかどうかを判定するために検査すること（ブロック１１０〜１１２）を含む。そのメッセージが接続要求メッセージではない場合、次いでこの方法はそのメッセージをアクセス試行ではないものとして同定し（ブロック１１４）、次のメッセージにスキップして（ブロック１１６）、同じ検査を行う。そのメッセージが接続要求メッセージである場合、次いでこの方法は、そのメッセージに別の接続要求メッセージが先行していたかどうかを判定することに関与する（ブロック１１８）。
【００３６】
別の接続要求がそのメッセージに先行している場合、次いでこの方法は、２つの接続要求メッセージの間にシグナリングメッセージが存在しているかどうかを判定する（ブロック１２０）。接続要求メッセージの間にシグナリングメッセージが存在していない場合、分析される接続要求メッセージ、すなわち後の方の接続要求メッセージは重複として無視され（ブロック１２２）、アクセス試行とはみなされず（ブロック１１４）、方法は次のメッセージへスキップする（ブロック１１６）。２つの接続要求メッセージの間にシグナリングメッセージが存在する場合、２つの接続要求は別のアクセス試行のためのものであるので、そのとき調査中の接続要求の原因コードは登録呼出であるのか、または会話／非常呼出であるのかを判定するために、さらに分析される（ブロック１２４、１２６）。
【００３７】
同様に、別の接続要求メッセージが接続要求メッセージに先行していない場合、次いでこの方法は接続要求メッセージの原因が登録呼出であるのか、または会話／非常呼出であるのかを判定する（ブロック１２４、１２６）。
【００３８】
接続要求メッセージの原因が登録呼出でも会話／非常呼出でもない場合、次いでこの方法はそのメッセージをアクセス試行ではないものとして同定し、次のメッセージにスキップする（ブロック１１４〜１１６）。
【００３９】
接続要求が登録呼出である場合、次いでこの方法は、その接続要求の後に種類１のサービス要求または設定信号が続くかどうかを判定する（ブロック１２８）。接続要求の後に種類１のサービス要求または設定信号が続かない場合、次いでこの方法はそのメッセージをアクセス試行ではないものとして同定し、次のメッセージにスキップする（ブロック１１４〜１１６）。接続メッセージの後に種類１のサービス要求または設定信号が続く場合、次いでこの方法はその接続要求メッセージをアクセス試行としてカウントする（ブロック１３０）。
【００４０】
一方、接続要求メッセージが開始または終了の会話呼出か、または非常呼出である場合、次いでこの方法はその接続要求メッセージをアクセス試行としてカウントする（ブロック１３０）。
【００４１】
図１３を参照すると、アクセス試行としてカウントされるメッセージのシーケンスの分析を継続する際（図８、ブロック１２６）、アクセス成功を判定するための方法の１つの実施形態は、接続要求が関連した警報シグナリングメッセージを有するかどうかを判定することによって継続する（ブロック１３２）。関連した警報シグナリングメッセージが存在する場合、次いでこの方法はそのシーケンスをアクセス成功としてカウントする（ブロック１３４）。関連した警報シグナリングメッセージが存在しない場合、次いでこの方法は、関連した接続シグナリングメッセージが存在するどうかについての判定を含む（ブロック１３６）。関連した接続シグナリングメッセージが存在する場合、次いでこの方法はそのシーケンスをアクセス成功としてカウントする（ブロック１３４）。関連した接続シグナリングメッセージが存在しない場合、次いでこの方法は、関連した肯定応答シグナリングメッセージが存在するかどうかについての判定を含む（ブロック１３８）。関連した肯定応答シグナリングメッセージが存在する場合、次いでこの方法はそのシーケンスをアクセス成功としてカウントする（ブロック１３４）。関連した肯定応答シグナリングメッセージが存在しない場合、次いでこの方法はその試行をアクセス失敗としてカウントし（ブロック１４０）、次のメッセージにスキップして（ブロック１１６）、図８のフローに戻る。
【００４２】
図１０を参照すると、アクセス成功としてカウントされるメッセージのシーケンスの分析を継続する際（図９、ブロック１３４）、呼出中断を判定するための方法の１つの実施形態は、接続要求が解除メッセージまたは切断メッセージに関連しているかどうかを判定することによって継続する（ブロック１４２、１４４）。
【００４３】
接続要求が解除メッセージまたは切断メッセージのいずれかに関連している場合、次いでこの方法は、解除または切断メッセージの各々が正常原因コードを含んでいたかどうかを判定する（ブロック１４６）。正常原因コードが存在する場合、そのときそのシーケンスは呼出中断に関連しておらず（ブロック１４８）、そのメッセージはスキップされ、この過程は次のメッセージに移る（図８、ブロック１１６）。正常原因コードが存在しない場合、次いでこの方法はそのシーケンスを呼出中断としてカウントし（ブロック１５０）、次のメッセージのシーケンスを評価するために、次のメッセージにスキップする（図８、ブロック１１６）。
【００４４】
接続要求が解除メッセージまたは切断メッセージのどちらとも関連していない場合、次いでこの方法は、接続要求メッセージが状態変化に関連しているかどうかを判定することに進む（図１１、ブロック１５４）。
【００４５】
図１１を参照すると、接続要求が異常解除メッセージまたは異常切断メッセージのうちのどちらとも関連していない場合（図１０より）、次いでこの方法は、接続要求がアクティブからアイドルへの状態変化に関連しているかどうかを判定することに進む（ブロック１５４）。アクティブからアイドルへの状態変化が存在しない場合、次いでこの方法はそのシーケンスが呼出中断ではないと判定し（ブロック１５６）、この方法は次のメッセージへ進む（図８、ブロック１１６）。アクティブからアイドルへの状態変化が存在する場合、次いでこの方法はそのシーケンスが呼出中断であると判定し（ブロック１５８）、この方法は次のメッセージへ進む（図８、ブロック１１６）。
【００４６】
ＵＭＴＳプロトコルに関連した１つの実施形態で、ユーザマネージャまたはその他のコンピュータデバイスは、ＵＭＴＳアクセス失敗率およびＵＭＴＳ呼出中断率を判定するために説明された方法を実行する。ＵＭＴＳアクセス失敗率は以下のように定義される。
【００４７】
ＵＭＴＳアクセス失敗率［％］＝
（Σアクセス試行−Σアクセス成功）／（Σアクセス試行）×１００％
この場合、
Σアクセス試行＝
確立原因（ＥＳＴＡＢＬＩＳＨＭＥＮＴＣＡＵＳＥ）＝ＯＲＩＧＩＮＡＴＩＮＧ＿ＣＯＮＶＥＲＳＡＴＩＯＮＡＬ＿ＣＡＬＬ、ＴＥＲＭＩＮＡＴＩＮＧ＿ＣＯＮＶＥＲＳＡＴＩＯＮＡＬ＿ＣＡＬＬ、またはＥＭＥＲＧＥＮＣＹ＿ＣＡＬＬである、固有のＲＲＣ＿Ｃｏｎｎｅｃｔｉｏｎ＿Ｒｅｑｕｅｓｔメッセージの合計数
＋
確立原因（ＥＳＴＡＢＬＩＳＨＭＥＮＴＣＡＵＳＥ）＝間に任意の新しいＲＲＣ＿Ｃｏｎｎｅｃｔｉｏｎ＿Ｒｅｑｕｅｓｔメッセージがない、ＳＥＲＶ＿ＴＹＰＥ＝１のＣＭ＿ＳＥＲＶＩＣＥ＿ＲＥＱＵＥＳＴ＿ＮＡＳ＿Ｓｉｇｎａｌｉｎｇか、またはＳＥＴＵＰ＿ＮＡＳ＿Ｓｉｇｎａｌｉｎｇメッセージのいずれかが後に続く登録（ＲＥＧＩＳＴＲＡＴＩＯＮ）である、固有のＲＲＣ＿Ｃｏｎｎｅｃｔｉｏｎ＿Ｒｅｑｕｅｓｔメッセージの合計数
注：ＲＲＣ＿Ｃｏｎｎｅｃｔｉｏｎ＿Ｒｅｑｕｅｓｔメッセージの後に、間にＲＲＣシグナリングメッセージを有することなく、別のＲＲＣ＿Ｃｏｎｎｅｃｔｉｏｎ＿Ｒｅｑｕｅｓｔメッセージが続く場合、第２のＲＲＣ＿Ｃｏｎｎｅｃｔｉｏｎ＿Ｒｅｑｕｅｓｔメッセージは重複とみなされる。
【００４８】
Σアクセス成功＝
上でカウントされたＲＲＣ＿Ｃｏｎｎｅｃｔｉｏｎ＿Ｒｅｑｕｅｓｔメッセージに関連したＡＬＥＲＴＩＮＧ＿ＮＡＳ＿Ｓｉｇｎａｌｉｎｇメッセージの合計数
＋
上でカウントされたＲＲＣ＿Ｃｏｎｎｅｃｔｉｏｎ＿Ｒｅｑｕｅｓｔメッセージに関連したＡＬＥＲＴＩＮＧ＿ＮＡＳ＿Ｓｉｇｎａｌｉｎｇメッセージのない、ＣＯＮＮＥＣＴ＿ＮＡＳ＿Ｓｉｇｎａｌｉｎｇメッセージの合計数
＋
上でカウントされたＲＲＣ＿Ｃｏｎｎｅｃｔｉｏｎ＿Ｒｅｑｕｅｓｔメッセージに関連したＡＬＥＲＴＩＮＧ＿ＮＡＳ＿ＳｉｇｎａｌｉｎｇメッセージもＣＯＮＮＥＣＴ＿ＮＡＳ＿Ｓｉｇｎａｌｉｎｇメッセージもない、ＣＯＮＮＥＣＴ＿ＡＣＫ＿ＮＡＳ＿Ｓｉｇｎａｌｉｎｇメッセージの合計数
同様に、ＵＭＴＳ呼出中断率は以下のように定義される。
【００４９】
ＵＭＴＳ呼出中断率［％］＝
（Σ状態変化による呼出中断＋ΣＡＢＮＯＲＭＡＬ  ＲＥＬＥＡＳＥ＿ＮＡＳ＿Ｓｉｇｎａｌｉｎｇ＋ΣＡＢＮＯＲＭＡＬ  ＤＩＳＣＯＮＮＥＣＴ＿ＮＡＳ＿Ｓｉｇｎａｌｉｎｇ）／（Σアクセス成功）×１００％
この場合、
Σアクセス成功＝上述の定義と同様
Σ状態変化による呼出中断＝
（１）状態変化の間にＲＥＬＥＡＳＥ＿ＮＡＳ＿Ｓｉｇｎａｌｉｎｇメッセージが存在する場合、（２）状態変化の間にＤＩＳＣＯＮＮＥＣＴ＿ＮＡＳ＿Ｓｉｇｎａｌｉｎｇメッセージが存在する場合、および（３）呼出がアクセス成功としてカウントされない場合の例外を有するＣＯＮＮＥＣＴＩＯＮ＿ＡＣＴＩＶＥからＩＤＬＥへのＮＡＳ＿ＭＭ状態変化の合計数。例えば、確立原因（ＥＳＴＡＢＬＩＳＨＭＥＮＴＣＡＵＳＥ）が上で挙げられた原因のうちの１つではない場合、例えばパケットデータ呼出は、確立原因（ＥＳＴＡＢＬＩＳＨＭＥＮＴＣＡＵＳＥ）＝ＯＲＩＧＩＮＡＴＩＮＧ＿ＩＮＴＥＲＡＣＴＩＶＥ＿ＣＡＬＬを有することがある。
【００５０】
ΣＡＢＮＯＲＭＡＬ  ＲＥＬＥＡＳＥ＿ＮＡＳ＿Ｓｉｇｎａｌｉｎｇ＝
アクセス成功としてカウントされたＡＬＥＲＴＩＮＧ＿ＮＡＳ＿Ｓｉｇｎａｌｉｎｇメッセージに関連しており、任意の関連したＤＩＳＣＯＮＮＥＣＴ＿ＮＡＳ＿Ｓｉｇｎａｌｉｎｇメッセージが先行していない、原因（ＣＡＵＳＥ）≠正常（ＮＯＲＭＡＬ）のＲＥＬＥＡＳＥ＿ＮＡＳ＿Ｓｉｇｎａｌｉｎｇメッセージの合計数
ΣＡＢＮＯＲＭＡＬ  ＤＩＳＣＯＮＮＥＣＴ＿ＮＡＳ＿Ｓｉｇｎａｌｉｎｇ＝
アクセス成功としてカウントされたＡＬＥＲＴＩＮＧ＿ＮＡＳ＿Ｓｉｇｎａｌｉｎｇメッセージに関連しており、任意の関連したＲＥＬＥＡＳＥ＿ＮＡＳ＿Ｓｉｇｎａｌｉｎｇメッセージが先行していない、原因（ＣＡＵＳＥ）≠正常（ＮＯＲＭＡＬ）のＤＩＳＣＯＮＮＥＣＴ＿ＮＡＳ＿Ｓｉｇｎａｌｉｎｇメッセージの合計数
この場合、ＲＥＬＥＡＳＥ＿ＮＡＳ＿ＳｉｇｎａｌｉｎｇおよびＤＩＳＣＯＮＮＥＣＴ＿ＮＡＳ＿Ｓｉｇｎａｌｉｎｇメッセージについての原因（ＣＡＵＳＥ）＝正常（ＮＯＲＭＡＬ）は、原因コード０の成功接続、原因コード１６の正常呼出クリア、原因コード２１の呼出拒否（注：これはユーザによって開始されるイベントである）、および原因コード２、４〜５、７、９〜１５、２０、２３〜２４、３１の不特定の正常原因に関係しており、ＲＥＬＥＡＳＥ＿ＮＡＳ＿ＳｉｇｎａｌｉｎｇおよびＤＩＳＣＯＮＮＥＣＴ＿ＮＡＳ＿Ｓｉｇｎａｌｉｎｇメッセージについての原因（ＣＡＵＳＥ）≠正常（ＮＯＲＭＡＬ）は、正常（ＮＯＲＭＡＬ）として上で挙げられていないすべての原因コードを有する。
【００５１】
図１２〜１９を参照すると、ＵＭＴＳアクセス試行およびアクセス成功の様々な例が示されている。これらの事例の各々の中で、下方に伸びている矢印１７０は、ワイヤレスデバイス１２におけるメッセージの送信または受信のタイムラインを表す。
【００５２】
図１２を参照すると、適切な確立原因１７４を有する接続要求メッセージ１７２の後に警報メッセージ１７６が適切に続いていたために、このメッセージのシーケンス２８は単一のアクセス試行と単一のアクセス成功とを表す。
【００５３】
図１３を参照すると、適切な確立原因１７４を有する接続要求メッセージ１７２の後に警報メッセージ１７６が適切に続いていたため、および第２接続メッセージ１７２が、２つの接続メッセージの間にシグナリングメッセージが存在していないことから重複とみなされるために、このメッセージのシーケンス２８は単一のアクセス試行と単一のアクセス成功とを表す。
【００５４】
図１４を参照すると、このメッセージのシーケンス２８は、１つがアクセス失敗であり、１つがアクセス成功である２つのアクセス試行を表す。第１アクセス試行は、ＡＬＥＲＴＩＮＧ＿ＮＡＳ＿Ｓｉｇｎａｌｉｎｇメッセージ、ＣＯＮＮＥＣＴ＿ＮＡＳ＿Ｓｉｇｎａｌｉｎｇメッセージ、ＣＯＮＮＥＣＴ＿ＡＣＫ＿ＮＡＳ＿Ｓｉｇｎａｌｉｎｇメッセージのいずれも第１の接続要求メッセージ１７２に関連していないために失敗している。さらにＲＲＣ＿Ｃｏｎｎｅｃｔｉｏｎ＿Ｓｅｔｕｐメッセージは、２つの接続要求メッセージの間に生じることから、第１アクセス試行が終了したことを意味するものとして解釈される無線資源制御（「ＲＲＣ」）シグナリングメッセージ１７８である。第２アクセス試行は、警報メッセージ１７６のために成功している。
【００５５】
図１５を参照すると、このメッセージのシーケンス２８は、１つがアクセス失敗で、１つがアクセス成功である２つのアクセス試行を表す。第１アクセス試行は、ＡＬＥＲＴＩＮＧ＿ＮＡＳ＿Ｓｉｇｎａｌｉｎｇメッセージ、ＣＯＮＮＥＣＴ＿ＮＡＳ＿Ｓｉｇｎａｌｉｎｇメッセージ、ＣＯＮＮＥＣＴ＿ＡＣＫ＿ＮＡＳ＿Ｓｉｇｎａｌｉｎｇメッセージのいずれも第１接続要求メッセージ１７２に関連していないために失敗している。さらにメッセージのＷＣＤＭＡ：システム情報ブロックは、２つの接続要求メッセージの間に生じることから、第１アクセス試行が終了したことを意味するものとして解釈されるシグナリングメッセージである。第２アクセス試行は、警報メッセージ１７６のために成功している。
【００５６】
図１６を参照すると、このメッセージのシーケンス２８は、１つがアクセス失敗で１つがアクセス成功である２つのアクセス試行を表す。第１アクセス試行は、ＡＬＥＲＴＩＮＧ＿ＮＡＳ＿Ｓｉｇｎａｌｉｎｇメッセージ、ＣＯＮＮＥＣＴ＿ＮＡＳ＿Ｓｉｇｎａｌｉｎｇメッセージ、ＣＯＮＮＥＣＴ＿ＡＣＫ＿ＮＡＳ＿Ｓｉｇｎａｌｉｎｇメッセージのいずれも第１接続要求メッセージ１７２に関連していないために失敗している。さらにＲＲＣ＿Ｃｏｎｎｅｃｔｉｏｎ＿Ｓｅｔｕｐメッセージは、２つの接続要求メッセージの間に生じることから、第１アクセス試行が終了したことを意味するものとして解釈されるシグナリングメッセージ１７８である。第２アクセス試行は、関連した接続シグナリングメッセージ１８０のために成功している。
【００５７】
図１７を参照すると、このメッセージのシーケンス２８は、１つがアクセス失敗で１つがアクセス成功である２つのアクセス試行を表す。第１アクセス試行は、ＡＬＥＲＴＩＮＧ＿ＮＡＳ＿Ｓｉｇｎａｌｉｎｇメッセージ、ＣＯＮＮＥＣＴ＿ＮＡＳ＿Ｓｉｇｎａｌｉｎｇメッセージ、ＣＯＮＮＥＣＴ＿ＡＣＫ＿ＮＡＳ＿Ｓｉｇｎａｌｉｎｇメッセージのいずれも第１接続要求メッセージ１７２に関連していないために失敗している。さらに、メッセージのＷＣＤＭＡ：システム情報ブロックは、２つの接続要求メッセージの間に生じることから、第１アクセス試行が終了したことを意味するものとして解釈されるシグナリングメッセージ１７８である。第２アクセス試行は、関連した接続肯定応答シグナリングメッセージ１８２のために成功している。
【００５８】
図１８を参照すると、このメッセージのシーケンス２８は、１つがアクセス失敗で１つがアクセス成功である２つのアクセス試行を表す。確立原因１７４が「登録」である第１接続要求メッセージ１７２と、対応するサービス要求メッセージ１８４とを含む第１アクセス試行は、ＡＬＥＲＴＩＮＧ＿ＮＡＳ＿Ｓｉｇｎａｌｉｎｇメッセージ、ＣＯＮＮＥＣＴ＿ＮＡＳ＿Ｓｉｇｎａｌｉｎｇメッセージ、ＣＯＮＮＥＣＴ＿ＡＣＫ＿ＮＡＳ＿Ｓｉｇｎａｌｉｎｇメッセージのいずれも第１接続要求メッセージ１７２に関連していないために失敗している。確立要求１７４が「登録」である第２接続要求メッセージ１７２と、対応する設定メッセージ１８８とを含む第２アクセス試行は、関連した警報メッセージ１７６のために成功している。
【００５９】
図１９を参照すると、このメッセージのシーケンス２８は、アクセス失敗がなく、アクセス成功が１つである、１つのアクセス試行を表す。確立原因１７４が「登録」の形態である第１接続要求メッセージ１７２は、「種類１」のサービス種類１８６が後に続かないことから、アクセス試行としてカウントされることはない。第２アクセス試行、すなわち第２接続要求１７２は、関連した警報メッセージ１７６のために成功している。
【００６０】
図２０〜３１を参照すると、ＵＭＴＳ呼出中断の様々な例が示されている。図２０を参照すると、このメッセージのシーケンス２８は、アクセス失敗がなく、呼出中断が１つである、１つのアクセス成功を表す。接続要求メッセージ１７２の後に警報メッセージ１７６が続いていたので、アクセス成功はカウントされている。呼出中断は、状態変化メッセージの間に正常解除メッセージまたは正常切断メッセージが存在することなく生じるアクティブ状態１９０からアイドル状態１９２への変化に基づいて生じる。
【００６１】
図２１を参照すると、このメッセージのシーケンス２８は、アクセス失敗がなく、呼出中断が１つである、１つのアクセス成功を表す。第１接続要求メッセージ１７２の後に警報メッセージ１７６が続いたので、アクセス成功はカウントされている。２つの接続要求メッセージ１７２の間にＲＲＣシグナリングメッセージがないので、第２接続要求メッセージ１７２は重複である。呼出中断は、状態変化メッセージの間に正常解除メッセージまたは正常切断メッセージが存在していないアクティブ状態１９０からアイドル状態１９２への変化に基づいて生じる。
【００６２】
図２２を参照すると、このメッセージのシーケンス２８は、１つがアクセス失敗で、１つが呼出中断である１つのアクセス成功を表す。第１接続要求１７２は、警報メッセージ１７６、接続メッセージ１８０または接続肯定応答メッセージ１８２のうちの１つに関連していなかったため、アクセス失敗となっている。さらに、接続設定メッセージの形態であるシグナリングメッセージ１７８は２つの接続要求メッセージの間にあるので、試行および失敗となる。アクセス成功は、第２接続要求メッセージ１７２の後に警報メッセージ１７６が続いていたためにカウントされている。呼出中断は、状態変化メッセージの間に正常解除メッセージまたは正常切断メッセージが存在していないアクティブ状態１９０からアイドル状態１９２への変化に基づいて生じる。
【００６３】
図２３を参照すると、このメッセージのシーケンス２８は、アクセス失敗がなく、呼出中断が１つである、１つのアクセス成功を表す。アクセス成功は、第１接続要求メッセージ１７２の後に警報メッセージ１７６が続いていたためにカウントされている。呼出中断は、関連した異常解除メッセージ１９４に基づいて生じる。
【００６４】
図２４を参照すると、このメッセージのシーケンス２８は、アクセス失敗がなく、呼出中断が１つである、１つのアクセス成功を表す。アクセス成功は、第１接続要求メッセージ１７２の後に警報メッセージ１７６が続いていたためにカウントされている。アクティブ状態１９０からアイドル状態１９２への状態変化の間の正常解除メッセージ１９６は、呼出中断イベントを除外する。
【００６５】
図２５を参照すると、このメッセージのシーケンス２８は、アクセス失敗および呼出中断のない、アクセス成功なしを表す。警報メッセージ１７６が後に続く接続要求メッセージ１７２は、接続要求の確立原因１７４が試行としてカウントされるための必要条件を満たさないことから、カウントされない。したがって、アクティブ状態１９０からアイドル状態１９２への状態変化は、アクセス成功が存在しないことから、意味を持たない。
【００６６】
図２６を参照すると、このメッセージのシーケンス２８は、アクセス失敗および呼出中断のない、１つのアクセス成功を表す。アクセス成功は、第１接続要求メッセージ１７２のあとに接続メッセージ１８０が続いていたためにカウントされている。アクティブ状態１９０からアイドル状態１９２への状態変化の間の正常切断メッセージ１９８は、呼出中断イベントを除外する。
【００６７】
図２７を参照すると、このメッセージのシーケンス２８は、アクセス失敗がなく、呼出中断が１つである、１つのアクセス成功を表す。設定メッセージ１８８が後に続く、確立原因１７４が「登録」である第１接続要求メッセージ１７２は、アクセス試行を構成する。したがって、関連した接続肯定応答メッセージ１８２はアクセス成功となる。呼出中断イベントは、アクティブ状態１９０からアイドル状態１９２への状態変化の間に、正常切断または正常解除が存在しないことから生じる。
【００６８】
図２８を参照すると、このメッセージのシーケンス２８は、アクセス失敗がなく呼出中断が１つである、１つのアクセス成功を表す。アクセス成功は、第１接続要求メッセージ１７２の後に、適切に警報メッセージ１７６が続いていたためにカウントされている。呼出中断イベントは、アクセス成功の後に異常切断メッセージ２００が存在することから生じる。
【００６９】
図２９を参照すると、このメッセージのシーケンス２８は、アクセス失敗がなく、呼出中断が１つである、１つのアクセス成功を表す。アクセス成功は、第１接続要求メッセージ１７２の後に、適切に警報メッセージ１７６が続いていたためにカウントされている。正常解除メッセージ１９６はアクセス成功の後に生じるが、正常解除メッセージの前に異常切断メッセージ２００が生じることから、呼出中断イベントが生じる。
【００７０】
図３０を参照すると、このメッセージのシーケンス２８は、アクセス失敗および呼出中断がない、１つのアクセス成功を表す。アクセス成功は、第１接続要求メッセージ１７２の後に、適切に警報メッセージ１７６が続いていたためにカウントされている。異常解除メッセージ１９６はアクティブ状態１９０からアイドル状態１９２への状態変化の間に生じるが、異常解除メッセージの前に正常切断メッセージ１９８が生じることから、呼出中断イベントは生じない。
【００７１】
図３１を参照すると、このメッセージのシーケンス２８は、アクセス失敗および呼出中断がない、１つのアクセス成功を表す。アクセス成功は、第１接続要求メッセージ１７２の後に、適切に警報メッセージ１７６が続いていたためにカウントされている。異常切断メッセージ２００はアクティブ状態１９０からアイドル状態１９２への状態変化の間に生じるが、異常切断メッセージの前に正常解除メッセージ１９６が生じることから、呼出中断イベントは生じない。
【００７２】
したがって要約すると、図３２を参照すると、ワイヤレスデバイスのワイヤレス通信ネットワークとの接続品質を判定する方法の１つの実施形態は、複数の通信メッセージを受信すること（ブロック２１０）を含む。例えば、そのような通信メッセージは、ワイヤレスデバイス１２、１４、１６、１７、１８によって記録され、それらからワイヤレスネットワーク３０を介してユーザマネージャ２４に送信される通信ログ２２の中のメッセージ２８を含む。この方法は任意のステップの中で、受信された通信メッセージに相関された位置情報および／またはデバイス同定情報を受信すること（ブロック２１２）を含んでもよい。例えば、そのような位置情報は位置情報９０を含み、そのようなデバイス同定情報はワイヤレスデバイス１２、１４、１６、１７、１８からワイヤレスネットワーク３０を介してユーザマネージャ２４に送信されるワイヤレスデバイスＩＤ８８を含む。次に、この方法は、接続品質特性に関連した所定のメッセージのシーケンスのために、通信メッセージを分析すること（ブロック２１４）を含む。例えばこのステップは、複数の通信メッセージ２８の中に含まれたアクセス失敗関連の通信メッセージの所定のシーケンス３６、および所定の呼出中断関連の通信メッセージのシーケンス４０を探索するために、接続品質モジュール３４を実行する分析エンジン３２を含む。さらにこの方法は、受信された通信に関連しており、接続品質特性を有する接続品質記録を生成すること（ブロック２１６）を含む。例えばこのステップは、所定のシーケンス３６、４０に基づいたアクセス失敗および呼出中断などの接続品質特性２６を含む、接続品質記録４４を生成する分析エンジンを含む。任意で、この方法は接続品質特性を位置情報および／またはワイヤレスデバイス同定情報と相関させること（ブロック２１８）をさらに含む。例えばこのステップは、デバイスＩＤ８８および位置情報９０などのデバイス関連情報８６に関連した所与の接続品質特性２６を有する表、地図、その他の中に結果を表すことを含む。さらに、この方法は任意で、接続品質記録に基づいて、ワイヤレスデバイスおよび／またはネットワーク構成要素の構成を最適化すること（ブロック２２０）含んでもよい。例えばこのステップは、アクセス失敗および／または呼出中断を減少させることなどによって、１つまたは複数のデバイスの設定および／またはネットワーク関連の構成を最適化して接続品質を改良するために、所定のアルゴリズムまたはプログラムを行うための最適化モジュール４６を実行する分析エンジン３２を含む。このステップの別の例では、この方法は、技術者または分析者が結果を調査し、手動で構成を調整することを含んでもよい。さらに、この方法はシステム内の異なる場所、異なるデバイスで、集中化された処理メカニズムまたは分散された処理メカニズムによって実施されてもよいことに留意されたい。
【００７３】
様々な開示される実施形態が示され、説明されてきたが、本明細書の主題がこれらの実施形態のみに限定されるわけではないことは、明白であろう。特許請求の範囲の中で述べられている、開示される実施形態の精神および範囲から逸脱することのない多数の修正形態、変更形態、変形物、代用物および同等物が、当業者には明らかとなろう。
【図面の簡単な説明】
【００７４】
【図１】ワイヤレスデバイスおよびワイヤレス通信ネットワークに関連した接続品質システムの１つの実施形態の代表的なブロック図である。
【図２】図１のコンピュータデバイスのコンピュータプラットフォームの１つの実施形態を含む、図１のシステムのセルラー電話ネットワーク実施形態の１つの実施形態の概略ブロック図である。
【図３】図２のコンピュータプラットフォームの構造ブロック図の１つの実施形態を示す図である。
【図４】さらに詳細なデータへのアクセスを提供する要約表およびインタラクティブドロップダウンメニューを含む、複数の通信メッセージに関連した少なくとも１つの接続品質特性の分析を要約するユーザマネージャによって生成されるアウトプットの１つの実施形態を示す図である。
【図５】棒グラフを含む、図４と同様のユーザマネージャによって生成されるアウトプットの１つの実施形態を示す図である。
【図６】円グラフを含む、図４と同様のユーザマネージャによって生成されるアウトプットの１つの実施形態を示す図である。
【図７】地理上の場所に関連した接続品質特性の表示のあるインタラクティブな地図を含む、図４と同様のユーザマネージャによって生成されるアウトプットの１つの実施形態を示す図である。
【図８】通信メッセージに基づいて、ワイヤレスネットワークとの通信を確立するためのワイヤレスデバイスによる試行を判定するための方法の１つの実施形態の流れ図である。
【図９】図４のアクセス試行の失敗および／または成功を判定するための方法の１つの実施形態の流れ図である。
【図１０】図５のアクセス成功に関連した、解除および切断メッセージに基づいて呼出中断を判定するための方法の１つの実施形態の流れ図である。
【図１１】図５のアクセス成功に関連した、状態変化に基づいて呼出中断を判定するための方法の１つの実施形態の流れ図である。
【図１２】アクセス試行に関連した通信メッセージのシーケンスの例を示す図である。
【図１３】重複の接続要求メッセージを含む、アクセス試行に関連した通信メッセージのシーケンスの別の例を示す図である。
【図１４】１つのアクセス失敗を含む、２つのアクセス試行に関連した通信メッセージのシーケンスの例を示す図である。
【図１５】１つのアクセス失敗を含む、２つのアクセス試行に関連した通信メッセージのシーケンスの別の例を示す図である。
【図１６】１つのアクセス失敗を含む、２つのアクセス試行に関連した通信メッセージのシーケンスのさらに別の例を示す図である。
【図１７】１つのアクセス失敗を含む、２つのアクセス試行に関連した通信メッセージのシーケンスのさらにまた別の例を示す図である。
【図１８】１つのアクセス失敗を含む、２つのアクセス試行に関連した通信メッセージのシーケンスのさらなる例を示す図である。
【図１９】アクセス試行に関連した通信メッセージのシーケンスのさらなる例を示す図である。
【図２０】状態変化によるアクセス成功および呼出中断に関連した通信メッセージのシーケンスの例を示す図である。
【図２１】状態変化によるアクセス成功および呼出中断に関連した通信メッセージのシーケンスの別の例を示す図である。
【図２２】状態変化によるアクセス成功および呼出中断に関連した通信メッセージのシーケンスのさらなる例を示す図である。
【図２３】異常解除メッセージによるアクセス成功および呼出中断に関連した通信メッセージのシーケンスのさらに別の例を示す図である。
【図２４】異常解除メッセージによる呼出中断を伴わないアクセス成功に関連した通信メッセージのシーケンスの例を示す図である。
【図２５】接続要求メッセージの中に含まれた限定されない種類の確立原因による、アクセス成功にも呼出中断にも関連しない通信メッセージのシーケンスの例を示す図である。
【図２６】正常切断メッセージによる呼出中断を伴わないアクセス成功に関連した通信メッセージのシーケンスの別の例を示す図である。
【図２７】状態変化によるアクセス成功および呼出中断に関連した通信メッセージのシーケンスのさらに別の例を示す図である。
【図２８】異常切断メッセージによるアクセス成功および呼出中断に関連した通信メッセージのシーケンスの例を示す図である。
【図２９】異常切断メッセージによるアクセス成功および呼出中断に関連した通信メッセージのシーケンスのさらに別の例を示す図である。
【図３０】正常切断メッセージによる呼出中断を伴わないアクセス成功に関連した通信メッセージのシーケンスのさらなる例を示す図である。
【図３１】正常切断メッセージによる呼出中断を伴わないアクセス成功に関連した通信メッセージのシーケンスのさらに別の例を示す図である。
【図３２】ワイヤレスデバイスのワイヤスネットワークとの接続品質特性を判定するための方法の１つの実施形態の流れ図である。
【図１】
2008536360.tif 000003
【図２】
2008536360.tif 000004
【図３】
2008536360.tif 000005
【図４】
2008536360.tif 000006
【図５】
2008536360.tif 000007
【図６】
2008536360.tif 000008
【図７】
2008536360.tif 000009
【図８】
2008536360.tif 000010
【図９】
2008536360.tif 000011
【図１０】
2008536360.tif 000012
【図１１】
2008536360.tif 000013
【図１２】
2008536360.tif 000014
【図１３】
2008536360.tif 000015
【図１４】
2008536360.tif 000016
【図１５】
2008536360.tif 000017
【図１６】
2008536360.tif 000018
【図１７】
2008536360.tif 000019
【図１８】
2008536360.tif 000020
【図１９】
2008536360.tif 000021
【図２０】
2008536360.tif 000022
【図２１】
2008536360.tif 000023
【図２２】
2008536360.tif 000024
【図２３】
2008536360.tif 000025
【図２４】
2008536360.tif 000026
【図２５】
2008536360.tif 000027
【図２６】
2008536360.tif 000028
【図２７】
2008536360.tif 000029
【図２８】
2008536360.tif 000030
【図２９】
2008536360.tif 000031
【図３０】
2008536360.tif 000032
【図３１】
2008536360.tif 000033
【図３２】
2008536360.tif 000034
【国際調査報告】
2008536360.tif 000035
2008536360.tif 000036
2008536360.tif 000037